(57)【要約】  無線リンク障害中に呼を管理するための方法、システム、装置およびデバイスについて説明する。一実施形態では、呼設定プロシージャ中またはその後に、無線アクセス技術に関する無線リンク障害が検出され得る。パブリックランドモバイルネットワークおよび等価パブリックランドモバイルネットワークが選択され得る。選択されたパブリックランドモバイルネットワークおよび等価パブリックランドモバイルネットワーク上で無線アクセス技術のセルについての初期探索が実行され得る。初期探索は、設定可能パラメータに基づいて１回または２回実行され得る。【選択図】図６
2016532395.tif 000002
【特許請求の範囲】
【請求項１】
無線リンク障害中に呼を管理するための方法であって、
呼設定プロシージャ中またはその後に無線アクセス技術に関する無線リンク障害を検出することと、
パブリックランドモバイルネットワークおよび等価パブリックランドモバイルネットワークを選択することと、
前記選択されたパブリックランドモバイルネットワークおよび前記等価パブリックランドモバイルネットワーク上で前記無線アクセス技術のセルについての初期探索を実行することと、
を備える方法。
【請求項２】
前記初期探索に少なくとも部分的に基づいて前記無線アクセス技術のセルを特定することと、
前記特定されたセル上に無線リソース制御接続を再確立することと、
をさらに備える請求項１に記載の方法。
【請求項３】
前記無線リンク障害が前記呼設定プロシージャ中に検出された場合に、前記再確立された無線リソース制御接続を使用して前記呼設定プロシージャを続けることをさらに備える請求項２に記載の方法。
【請求項４】
前記呼設定プロシージャが完了した後に前記無線リンク障害が検出された場合に、前記再確立された無線リソース制御接続を使用して進行中の呼を維持することをさらに備える請求項２に記載の方法。
【請求項５】
設定可能パラメータに少なくとも部分的に基づいて、前記選択されたパブリックランドモバイルネットワークおよび前記等価パブリックランドモバイルネットワーク上で前記無線アクセス技術のセルについての前記初期探索を１回または２回実行することをさらに備える請求項１に記載の方法。
【請求項６】
前記選択されたパブリックランドモバイルネットワークは、前記無線リンク障害が発生した前記パブリックランドモバイルネットワークである、請求項１に記載の方法。
【請求項７】
前記無線アクセス技術のセルが特定されなかった場合に、各利用可能なパブリックランドモバイルネットワーク上で他の無線アクセス技術のセルについての後続の探索を実行することをさらに備える請求項１に記載の方法。
【請求項８】
前記無線アクセス技術がロングタームエボリューション（ＬＴＥ）無線アクセス技術であり、前記他の無線アクセス技術が非ＬＴＥ無線アクセス技術である、請求項７に記載の方法。
【請求項９】
前記他の無線アクセス技術のセルについての前記後続の探索中に前記無線アクセス技術を用いて無線リソース制御接続を維持することをさらに備える請求項７に記載の方法。
【請求項１０】
前記他の無線アクセス技術のセルが特定された場合に、前記無線アクセス技術に関する呼設定プロシージャを終了することと、
前記呼設定プロシージャが終了されたという通知を生成することと、
をさらに備える請求項７に記載の方法。
【請求項１１】
前記他の無線アクセス技術のセルが特定された場合に、前記無線アクセス技術に関する進行中の呼をドロップすることと、
前記進行中の呼がドロップされたという通知を生成することと、
をさらに備える請求項７に記載の方法。
【請求項１２】
前記他の無線アクセス技術のセルが特定されておらず、且つ、タイマーが満了していない場合に、各利用可能なパブリックランドモバイルネットワーク上で前記無線アクセス技術のセルについての後続の探索を実行することをさらに備える請求項１に記載の方法。
【請求項１３】
無線アクセス技術のセルが、選択されなかったパブリックランドモバイルネットワーク上で特定された場合に、トラッキングエリア更新プロシージャを実行することをさらに備える請求項１２に記載の方法。
【請求項１４】
前記無線リンク障害が検出されたときに、タイマーを開始することと、
前記タイマーが満了したときに、無線リソース制御接続（ＲＲＣ＿ＣＯＮＮＥＣＴＥＤ）状態から遷移することと、
をさらに備える請求項１に記載の方法。
【請求項１５】
前記タイマーが満了したときに、前記無線アクセス技術に関する呼設定プロシージャを終了することと、
前記呼設定プロシージャが終了されたという通知を生成することと、
をさらに備える請求項１４に記載の方法。
【請求項１６】
前記タイマーが満了したときに、前記無線アクセス技術に関する進行中の呼をドロップすることと、
前記進行中の呼がドロップされたという通知を生成することと、
をさらに備える請求項１４に記載の方法。
【請求項１７】
前記無線アクセス技術がロングタームエボリューション（ＬＴＥ）無線アクセス技術である、請求項１に記載の方法。
【請求項１８】
無線リンク障害中に呼を管理するための装置であって、
呼設定プロシージャ中またはその後に無線アクセス技術に関する無線リンク障害を検出する手段と、
パブリックランドモバイルネットワークおよび等価パブリックランドモバイルネットワークを選択する手段と、
前記選択されたパブリックランドモバイルネットワークおよび前記等価パブリックランドモバイルネットワーク上で前記無線アクセス技術のセルについての初期探索を実行する手段と、
を備える装置。
【請求項１９】
前記初期探索に少なくとも部分的に基づいて前記無線アクセス技術のセルを特定する手段と、
前記特定されたセル上に無線リソース制御接続を再確立する手段と、
をさらに備える請求項１８に記載の装置。
【請求項２０】
無線リンク障害中に呼を管理するための装置であって、
プロセッサと、
前記プロセッサと電子通信するメモリと、
前記メモリに記憶された命令と、
を備え、
前記命令は、
呼設定プロシージャ中またはその後に無線アクセス技術に関する無線リンク障害を検出することと、
パブリックランドモバイルネットワークおよび等価パブリックランドモバイルネットワークを選択することと、
前記選択されたパブリックランドモバイルネットワークおよび前記等価パブリックランドモバイルネットワーク上で前記無線アクセス技術のセルについての初期探索を実行することと、
を行うために前記プロセッサによって実行可能である、装置。
【請求項２１】
前記命令は、
前記初期探索に少なくとも部分的に基づいて前記無線アクセス技術のセルを特定することと、
前記特定されたセル上に無線リソース制御接続を再確立することと、
を行うために前記プロセッサによって実行可能である、請求項２０に記載の装置。
【請求項２２】
前記命令は、
前記無線リンク障害が前記呼設定プロシージャ中に検出された場合に、前記再確立された無線リソース制御接続を使用して前記呼設定プロシージャを続ける
ために前記プロセッサによって実行可能である、請求項２１に記載の装置。
【請求項２３】
前記命令は、
前記呼設定プロシージャが完了した後に前記無線リンク障害が検出された場合に、前記再確立された無線リソース制御接続を使用して進行中の呼を維持する
ために前記プロセッサによって実行可能である、請求項２１に記載の装置。
【請求項２４】
前記命令は、
設定可能パラメータに少なくとも部分的に基づいて、前記選択されたパブリックランドモバイルネットワークおよび前記等価パブリックランドモバイルネットワーク上で前記無線アクセス技術のセルについての前記初期探索を１回または２回実行する
ために前記プロセッサによって実行可能である、請求項２０に記載の装置。
【請求項２５】
前記選択されたパブリックランドモバイルネットワークは、前記無線リンク障害が発生した前記パブリックランドモバイルネットワークである、請求項２０に記載の装置。
【請求項２６】
前記命令は、
前記無線アクセス技術のセルが特定されなかった場合に、各利用可能なパブリックランドモバイルネットワーク上で他の無線アクセス技術のセルについての後続の探索を実行する
ために前記プロセッサによって実行可能である、請求項２０に記載の装置。
【請求項２７】
前記命令は、
前記他の無線アクセス技術のセルが特定されておらず、且つ、タイマーが満了していない場合に、各利用可能なパブリックランドモバイルネットワーク上で前記無線アクセス技術のセルについての後続の探索を実行する
ために前記プロセッサによって実行可能である、請求項２０に記載の装置。
【請求項２８】
前記命令は、
前記無線リンク障害が検出されたときに、タイマーを開始することと、
前記タイマーが満了したときに、無線リソース制御接続（ＲＲＣ＿ＣＯＮＮＥＣＴＥＤ）状態から遷移することと、
を行うために前記プロセッサによって実行可能である、請求項２０に記載の装置。
【請求項２９】
前記無線アクセス技術がロングタームエボリューション（ＬＴＥ）無線アクセス技術である、請求項２０に記載の装置。
【請求項３０】
無線リンク障害中に呼を管理するためのコンピュータプログラム製品であって、
呼設定プロシージャ中またはその後に無線アクセス技術に関する無線リンク障害を検出することと、
パブリックランドモバイルネットワークおよび等価パブリックランドモバイルネットワークを選択することと、
前記選択されたパブリックランドモバイルネットワークおよび前記等価パブリックランドモバイルネットワーク上で前記無線アクセス技術のセルについての初期探索を実行することと、
を行うために、プロセッサによって実行可能な命令を記憶する非一時的コンピュータ可読媒体を備えるコンピュータプログラム製品。
【発明の詳細な説明】
【技術分野】
【０００１】
相互参照
[0001]本特許出願は、各々が本出願の譲受人に譲渡された、２０１４年８月２２日に出願された「Enhance Performance of Making an Emergency Call During Radio Link Failure Over Radio Access Technology」と題する、Ｈｓｕ他による米国特許出願第１４／４６６，４９６号、および２０１３年８月３０日に出願された「Enhance Performance of Making an Emergency Call During Radio Link Failure Over Radio Access Technology」と題する、Ｈｓｕ他による米国仮特許出願第６１／８７２，４８３号の優先権を主張する。
【背景技術】
【０００２】
[0002]以下は、一般に、無線リンク障害（radio link failure）中の呼（たとえば、ボイス呼、緊急ボイス呼など）の管理に関する。ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００３】
[0003]概して、ワイヤレス多元接続通信システムは、各々が複数のユーザ機器（ＵＥ：user equipment）のための通信を同時にサポートする、いくつかのアクセスポイントまたは基地局を含み得る。各アクセスポイントまたは基地局は、それぞれのカバレージエリアを有し得る。ＵＥがアクセスポイントまたは基地局のカバレージエリア内にあるとき、ＵＥは、ダウンストリームリンクおよびアップストリームリンク上でアクセスポイントまたは基地局と通信し得る。
【０００４】
[0004]場合によっては、ＵＥは、アクセスポイントまたは基地局のカバレージエリアのエッジ上にある間に、あるいはアクセスポイントまたは基地局のカバレージエリア内のホール中に（たとえば、エレベータ内に）ある間に、呼（たとえば、ボイス呼、緊急ボイス呼など）を発し得る。そのような場合、呼はドロップされ（dropped）得るか、または呼設定プロシージャは無線リンク障害により終了され得る。
【発明の概要】
【０００５】
[0005]説明する特徴は、一般に、無線リンク障害中に呼を管理するための１つまたは複数の改善された方法、システム、装置、および／またはデバイスに関する。無線リンク障害に起因して呼がドロップされたまたは呼設定プロシージャが終了された場合、ＵＥは、無線リソース制御（ＲＲＣ：radio resource control）接続を再確立し、１）呼を維持すること、または２）呼設定プロシージャを続けることのいずれかの試みにおいて、パブリックランドモバイルネットワーク（ＰＬＭＮ：public land mobile network）上で利用可能な無線アクセス技術の好適なセルを探索し得る。しかしながら、そのような広い網羅的探索は非効率的であり得る。多くの場合、無線リンク障害は一時的状態の結果であり得、無線リンク障害がその上で発生したＰＬＭＮ上での、無線リンク障害中に使用されている無線アクセス技術のセルについての初期探索は、ＲＲＣ再確立の成功のための好都合の手段を与え得る。
【０００６】
[0006]無線リンク障害中に呼を管理するための方法について説明する。一構成では、呼設定プロシージャ中またはその後に、無線アクセス技術に関する無線リンク障害が検出され得る。パブリックランドモバイルネットワークおよび等価パブリックランドモバイルネットワーク（equivalent public land mobile network）が選択され得る。選択されたパブリックランドモバイルネットワークおよび等価パブリックランドモバイルネットワーク上で無線アクセス技術のセルについての初期探索が実行され得る。
【０００７】
[0007]一実施形態では、無線アクセス技術のセルは、初期探索に少なくとも部分的に基づいて特定され（identified）得る。特定されたセル上に無線リソース制御接続が再確立され得る。呼設定プロシージャは、無線リンク障害が呼設定プロシージャ中に検出された場合に、再確立された無線リソース制御接続を使用して続け得る。別の例では、呼設定プロシージャが完了した後に無線リンク障害が検出された場合に、再確立された無線リソース制御接続を使用して進行中の呼が維持され得る。
【０００８】
[0008]一構成では、設定可能パラメータに少なくとも部分的に基づいて、選択されたパブリックランドモバイルネットワークおよび等価パブリックランドモバイルネットワーク上で無線アクセス技術のセルについての初期探索が１回または２回実行され得る。一実施形態では、選択されたパブリックランドモバイルネットワークは、無線リンク障害がその上で発生したパブリックランドモバイルネットワークであり得る。
【０００９】
[0009]一例では、無線アクセス技術のセルが特定されなかった場合に、各利用可能なパブリックランドモバイルネットワーク上での他の無線アクセス技術のセルについての後続の探索が実行され得る。
【００１０】
[0010]無線アクセス技術はロングタームエボリューション（ＬＴＥ（登録商標）：Long Term Evolution）無線アクセス技術であり得、他の無線アクセス技術は非ＬＴＥ無線アクセス技術である。無線リソース制御接続が、他の無線アクセス技術のセルについての後続の探索中に無線アクセス技術を用いて維持され得る。他の無線アクセス技術のセルが特定された場合に、呼設定プロシージャが、無線アクセス技術を介して終了され得る。一構成では、呼設定プロシージャが終了されたという通知が生成され得る。一例では、他の無線アクセス技術のセルが特定された場合に、無線アクセス技術を介した進行中の呼はドロップされ得る。進行中の呼がドロップされたという通知が生成され得る。
【００１１】
[0011]一構成では、他の無線アクセス技術のセルが特定されておらず、且つ、タイマーが満了していない場合に、無線アクセス技術のセルについての後続の探索が各利用可能なパブリックランドモバイルネットワーク上で実行され得る。無線アクセス技術のセルが、選択されなかったパブリックランドモバイルネットワークまたは選択されなかった等価パブリックランドモバイルネットワーク上で特定された場合に、トラッキングエリア更新プロシージャ（tracking area update procedure）が実行され得る。
【００１２】
[0012]一例では、無線リンク障害が検出されたときに、タイマーが開始され得る。タイマーが満了したときに、無線リソース制御接続（ＲＲＣ＿ＣＯＮＮＥＣＴＥＤ：radio resource control connected）状態からの遷移が行われ得る。タイマーが満了したときに、無線アクセス技術に関する呼設定プロシージャが終了され得る。呼設定プロシージャが終了されたという通知が生成され得る。タイマーが満了したときに、無線アクセス技術に関する進行中の呼がドロップされ得る。進行中の呼がドロップされたという通知が生成され得る。無線アクセス技術はロングタームエボリューション（ＬＴＥ）無線アクセス技術であり得る。
【００１３】
[0013]また、無線リンク障害中に呼を管理するための装置について説明する。本装置は、呼設定プロシージャ中またはその後に無線アクセス技術に関する無線リンク障害を検出する手段と、パブリックランドモバイルネットワークおよび等価パブリックランドモバイルネットワークを選択する手段と、選択されたパブリックランドモバイルネットワークおよび等価パブリックランドモバイルネットワーク上で無線アクセス技術のセルについての初期探索を実行する手段と、を含む。
【００１４】
[0014]無線リンク障害中に呼を管理するための装置についてさらに説明する。この装置は、プロセッサと、プロセッサと電子通信するメモリと、を含み得る。命令がメモリに記憶され得る。命令は、呼設定プロシージャ中またはその後に無線アクセス技術に関する無線リンク障害を検出することと、パブリックランドモバイルネットワークおよび等価パブリックランドモバイルネットワークを選択することと、選択されたパブリックランドモバイルネットワークおよび等価パブリックランドモバイルネットワーク上で無線アクセス技術のセルについての初期探索を実行することと、を行うためにプロセッサによって実行可能であり得る。
【００１５】
[0015]また、無線リンク障害中に呼を管理するためのコンピュータプログラム製品について説明する。コンピュータプログラム製品は、呼設定プロシージャ中またはその後に無線アクセス技術に関する無線リンク障害を検出することと、パブリックランドモバイルネットワークおよび等価パブリックランドモバイルネットワークを選択することと、選択されたパブリックランドモバイルネットワークおよび等価パブリックランドモバイルネットワーク上で無線アクセス技術のセルについての初期探索を実行することと、を行うために、プロセッサによって実行可能な命令を記憶する非一時的コンピュータ可読媒体を含み得る。
【００１６】
[0016]説明する方法および装置の適用性のさらなる範囲は、以下の発明を実施するための形態、特許請求の範囲、および図面から明らかになろう。当業者には発明を実施するための形態の趣旨および範囲内の様々な変更および改変が明らかになるので、発明を実施するための形態および特定の例は、例示として与えられるものにすぎない。
【００１７】
[0017]本発明の性質および利点のさらなる理解は、以下の図面を参照して実現され得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれか１つに適用可能である。
【図面の簡単な説明】
【００１８】
【図１】[0018]ワイヤレス通信システムの一例の図。
【図２】[0019]様々な実施形態に係るデバイス（たとえば、ＵＥ）の一例のブロック図。
【図３】[0020]様々な実施形態に係るデバイス（たとえば、ＵＥ）の別の例のブロック図。
【図４】[0021]様々な実施形態に係る呼管理モジュールの一例のブロック図。
【図５】[0022]様々な実施形態に係るＵＥの一例のブロック図。
【図６】[0023]様々な実施形態に係る、ＵＥとＬＴＥ基地局との間の通信の一実施形態を示すメッセージフロー図。
【図７】[0024]様々な実施形態に係る、無線リンク障害中に呼を管理するための例示的な方法のフローチャート。
【図８】[0025]様々な実施形態に係る、無線リンク障害中に呼を管理するための別の例示的な方法のフローチャート。
【図９】様々な実施形態に係る、無線リンク障害中に呼を管理するための別の例示的な方法のフローチャート。
【図１０】様々な実施形態に係る、無線リンク障害中に呼を管理するための別の例示的な方法のフローチャート。
【発明を実施するための形態】
【００１９】
[0026]説明する特徴は、一般に、無線リンク障害中に呼を管理するための１つまたは複数の改善された方法、システム、装置、および／またはデバイスに関する。
【００２０】
[0027]ＵＥは、アクセスポイントまたは基地局のカバレージエリアのエッジ上にある間に、あるいはアクセスポイントまたは基地局のカバレージエリア内のホール中に（たとえば、エレベータ内に）ある間に、ボイス呼などの呼を発し得る。場合によっては、無線リンク障害に起因して、呼がドロップされるか、または呼設定プロシージャが終了されることがある。無線リンク障害によって呼がドロップされたまたは呼設定プロシージャが終了された場合、ＵＥは、無線リソース制御（ＲＲＣ）接続を再確立し、１）呼を維持すること、または２）呼設定プロシージャを続けることのいずれかの試みにおいて、パブリックランドモバイルネットワーク（ＰＬＭＮ）上で利用可能な無線アクセス技術の好適なセルを探索し得る。しかしながら、そのような広い網羅的探索は非効率的であり得る。
【００２１】
[0028]場合によっては、アクセスポイントまたは基地局のカバレージエリアのエッジにある間に、あるいはアクセスポイントまたは基地局のカバレージエリア内のホール中に（たとえば、エレベータ内に）ある間にＵＥが緊急呼を発する場合、無線リンク障害によって、緊急呼がドロップされるか、または緊急呼設定プロシージャは終了されることがある。無線リンク障害によって緊急呼がドロップされたまたは緊急呼設定プロシージャが終了された場合、ＵＥは、ＲＲＣ接続を再確立し、１）緊急呼を維持すること、または２）緊急呼設定プロシージャを続けることのいずれかの試みにおいて、ＰＬＭＮ上で利用可能な無線アクセス技術の好適なセルを探索し得る。もう一度、そのような広い網羅的探索は非効率的であり得る。
【００２２】
[0029]ロングタームエボリューション（ＬＴＥ）基地局にキャンプオンする（camped on）ＵＥのコンテキストでは、ＩＰマルチメディアサブシステム（ＩＭＳ）緊急呼シナリオなど、以下の２つの成功したＩＭＳ呼シナリオが利用され得る。第１のシナリオは、（ＬＴＥを介した）通常アタッチされたＵＥのためのものであり得、以下のイベントのシーケンスを含み得る。
１．ＵＥが通常アタッチプロシージャを実行すること（アタッチ段階）
２．ユーザがＩＭＳ緊急呼などのＩＭＳ呼を発すること（選択決定が規格ＴＳ２３．１６７のＨ．５に基づく場合）
３．ＵＥが緊急パケットデータネットワーク（ＰＤＮ）接続などのＰＤＮ接続を設定するためにＵＥ要求ＰＤＮ接続を開始すること（ＰＤＮ接続確立段階または緊急ＰＤＮ接続確立段階）
４．ＵＥがＩＭＳ緊急登録プロシージャなどのＩＭＳ登録プロシージャを実行すること（ＩＭＳ登録段階またはＩＭＳ緊急登録段階）
５．ＩＭＳ緊急セッションなどのＩＭＳセッションが設定されること（ＩＭＳ呼設定段階またはＩＭＳ緊急呼設定段階）
６．呼または緊急呼が進行中であること
この説明の目的で、ステップ１〜５は、呼設定プロシージャと呼ばれることがあり、また、いくつかの例では、緊急呼設定プロシージャと呼ばれることがある。
【００２３】
[0030]第２の成功したＩＭＳ呼シナリオまたはＩＭＳ緊急呼シナリオは、限定サービスモード（ＬＳＭ：Limited Service Mode）ＵＥのためのものであり得、以下のイベントのシーケンスを含み得る。
１．ユーザがＩＭＳ緊急呼などのＩＭＳ呼を発すること（ＵＥがＬＴＥにキャンプオンしている場合）
２．ＵＥが、ＩＭＳ緊急登録などのＩＭＳ登録なしに、（ＰＤＮ接続性設定または緊急ＰＤＮ接続性設定を含む）緊急アタッチプロシージャなどのアタッチプロシージャを実行すること（アタッチ段階）
３．ＩＭＳ緊急セッションなどのＩＭＳセッションが設定されること（ＩＭＳ呼設定段階またはＩＭＳ緊急呼設定段階）
４．呼または緊急呼が進行中であること
この説明の目的で、ステップ１〜３は呼設定プロシージャと呼ばれることがあり、また、いくつかの例では、緊急呼設定プロシージャと呼ばれることがある。
【００２４】
[0031]上記の２つのシナリオでは、ＲＲＣ接続が設定された後のステップで無線リンク障害（ＲＬＦ：Radio Link Failure）が起こり得る。ＵＥがＬＴＥに関する無線リンク障害を検出した場合、ＵＥは、ＲＲＣ接続再確立プロシージャを開始するためにタイマーを始動し得る。タイマーが動作している間、ＵＥは、キャンプオンすべき好適なＬＴＥセルまたは非ＬＴＥ  ＲＡＴのセルを探索し得る。ＵＥが、ＲＲＣ接続がその上で再確立されることができる好適なセルを特定した場合、進行中の呼は維持されることができ、または呼設定プロシージャは続けられることができる。しかしながら、ＵＥがキャンプオンすべき非ＬＴＥ  ＲＡＴを特定した場合、呼設定プロシージャは終了され得るか、または進行中の呼は元のＬＴＥシステムからドロップされ得る。ＵＥまたはそれのユーザは、次いで、別の呼を発し得る。
【００２５】
[0032]しかしながら、３ＧＰＰ（登録商標）規格は、ＬＴＥセルまたは非ＬＴＥ  ＲＡＴのセルをどのようにまたはいつ探索すべきかを指定しておらず、したがって、ＵＥは、好適なＬＴＥセルを探索することにあまりに多くの時間（またはタイマーが満了するまでの時間のすべて）を費やすが、ＲＲＣ接続をその上で再確立すべき好適なＬＴＥセルを発見できないことがある。代替的に、ＵＥは、非ＬＴＥ  ＲＡＴのセルを探索することにあまりに多くの時間（またはタイマーが満了するまでの時間のすべて）を費やすが、好適なセルを発見せず、呼設定プロシージャを終了するか、または進行中の呼をドロップすることになり得る。これらの動作は、場合によっては、ＵＥが利用可能なセルを探索する方法を調整することによって回避され得る非効率性を生じ得る。
【００２６】
[0033]以下の説明は、例を与えるものであり、特許請求の範囲において記載される範囲、適用性、または構成を限定するものではない。本開示の趣旨および範囲から逸脱することなく、説明する要素の機能および構成において変更が行われ得る。様々な実施形態は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの実施形態に関して説明する特徴は、他の実施形態において組み合わせられ得る。
【００２７】
[0034]最初に図１を参照すると、図は、ワイヤレス通信システム１００の一例を示している。システム１００は、基地局（またはセル）１０５と、ユーザ機器（ＵＥ）１１５と、コアネットワーク１３０と、を含む。基地局１０５は、様々な実施形態ではコアネットワーク１３０または基地局１０５の一部であり得る基地局コントローラの制御下でＵＥ１１５と通信し得る。基地局１０５は、バックホール１３２を介してコアネットワーク１３０と制御情報および／またはユーザデータを通信し得る。いくつかの実施形態では、基地局１０５は、ワイヤードまたはワイヤレス通信リンクであり得るバックホールリンク１３４を介して直接的にまたは間接的に互いに通信し得る。システム１００は、複数のキャリア（異なる周波数の波形信号）上での動作をサポートし得る。マルチキャリア送信機は、複数のキャリア上で同時に変調信号を送信し得る。たとえば、各通信リンク１２５は、上記で説明した様々な無線技術に従って変調されたマルチキャリア信号であり得る。各変調信号は、異なるキャリア上で送られ得、制御情報（たとえば、基準信号、制御チャネルなど）、オーバーヘッド情報、データなどを搬送し得る。
【００２８】
[0035]基地局１０５は、１つまたは複数の基地局アンテナを介してＵＥ１１５とワイヤレス通信し得る。基地局１０５サイトの各々は、それぞれのカバレージエリア１１０に通信カバレージを与え得る。いくつかの実施形態では、基地局１０５は、基地トランシーバ局、無線基地局、アクセスポイント、無線トランシーバ、基本サービスセット（ＢＳＳ）、拡張サービスセット（ＥＳＳ）、ノードＢ、発展型ノードＢ（ｅノードＢまたはｅＮＢ）、ホームノードＢ、ホームｅノードＢ、または何らかの他の好適な用語で呼ばれることがある。基地局のためのカバレージエリア１１０は、カバレージエリアの一部分のみを構成するセクタに分割され得る。システム１００は、異なるタイプの基地局１０５（たとえば、マクロ基地局、マイクロ基地局、および／またはピコ基地局）を含み得る。異なる技術のための重複するカバレージエリアがあり得る。
【００２９】
[0036]いくつかの実施形態では、システム１００はＬＴＥ／ＬＴＥ−Ａネットワークであり得る。ＬＴＥ／ＬＴＥ−Ａネットワークでは、発展型ノードＢ（ｅＮＢ）という用語は、概して、基地局１０５を記述するために使用され得る。システム１００は、異なるタイプのｅＮＢがその中で様々な地理的領域にカバレージを与える、異種（Heterogeneous）ＬＴＥ／ＬＴＥ−Ａネットワークであり得る。たとえば、各ｅＮＢ１０５は、マクロセル、ピコセル、フェムトセル、および／または他のタイプのセルに通信カバレージを与え得る。マクロセルは、概して、比較的大きい地理的エリア（たとえば、半径数キロメートル）をカバーし、ネットワークプロバイダのサービスに加入しているＵＥによる無制限アクセスを可能にし得る。ピコセルは、概して、比較的小さい地理的エリアをカバーすることになり、サービスに加入しているＵＥによるネットワークプロバイダとの無制限アクセスを可能にし得る。また、フェムトセルは、概して、比較的小さい地理的エリア（たとえば、自宅）をカバーすることになり、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による制限付きアクセスをも可能にし得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。ｅＮＢは、１つまたは複数の（たとえば、２つ、３つ、４つなどの）セルをサポートし得る。
【００３０】
[0037]コアネットワーク１３０は、バックホール１３２（たとえば、Ｓ１など）を介してｅＮＢ１０５と通信し得る。ｅＮＢ１０５はまた、たとえば、バックホールリンク１３４（たとえば、Ｘ２など）を介しておよび／またはバックホール１３２を介して（たとえば、コアネットワーク１３０を通して）、直接的にまたは間接的に互いに通信し得る。ワイヤレス通信システム１００は同期動作または非同期動作をサポートし得る。同期動作の場合、ｅＮＢ１０５は同様のフレームタイミングを有し得、異なるｅＮＢからの送信は近似的に時間的に整合され得る。非同期動作の場合、ｅＮＢ１０５は異なるフレームタイミングを有し得、異なるｅＮＢからの送信は時間的に整合されないことがある。本明細書で説明する技法は、同期動作または非同期動作のいずれかのために使用され得る。
【００３１】
[0038]ＵＥ１１５は、ワイヤレス通信システム１００全体にわたって分散され得、各ＵＥ１１５は固定型または移動型のものであり得る。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、携帯電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥ１１５は、マクロｅＮＢ、ピコｅＮＢ、フェムトｅＮＢ、リレーなどと通信することが可能であり得る。場合によっては、ＵＥ１１５は、マルチＲＡＴモデムを有し、２つ以上のＲＡＴを介して同時に通信することが可能であり得る。
【００３２】
[0039]システム１００に示された通信リンク１２５は、ＵＥ１１５から基地局１０５へのアップリンク（ＵＬ）送信および／または基地局１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。
【００３３】
[0040]場合によっては、ＵＥ１１５は、２つ以上の基地局１０５のカバレージエリア１１０内で動作し得る。場合によっては、基地局１０５は、異なるＲＡＴ（たとえば、ＬＴＥ／ＬＴＥ−ＡまたはＧＳＭ（登録商標））を使用して動作し得る。これらの場合、マルチＲＡＴモデムを有するＵＥ１１５は、異なるＲＡＴを使用して基地局１０５と同時に通信し得る。
【００３４】
[0041]次に図２を参照すると、ブロック図２００は、様々な実施形態に係る、無線リンク障害中に呼を管理するためのデバイス１１５−ａを示している。デバイス１１５−ａは、図１を参照しながら説明したＵＥ１１５のうちの１つの１つまたは複数の態様の一例であり得る。デバイス１１５−ａはプロセッサであってもよい。デバイス１１５−ａは、受信機モジュール２０５、呼管理モジュール２１０、および／または送信機モジュール２１５を含み得る。これらの構成要素の各々は互いと通信していることがある。
【００３５】
[0042]デバイス１１５−ａの構成要素は、個別にまたは集合的に、ハードウェア中の適用可能な機能の一部または全部を実行するように適応された１つまたは複数の特定用途向け集積回路（ＡＳＩＣ）を使用して実装され得る。代替的に、それらの機能は、１つまたは複数の他の処理ユニット（またはコア）によって、１つまたは複数の集積回路上で実行され得る。他の実施形態では、当技術分野で知られている任意の様式でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００３６】
[0043]受信機モジュール２０５は、ＬＴＥ／ＬＴＥ−Ａ受信機、モバイル通信用グローバルシステム（ＧＳＭ：Global System for Mobile communications）受信機、ユニバーサルモバイルテレコミュニケーションシステム（ＵＭＴＳ：Universal Mobile Telecommunication System）受信機、および／またはシングルキャリア無線伝送技術（１ｘＲＴＴ：single-carrier Radio Transmission Technology）受信機など、いくつかのセルラー受信機を含み得る。受信機モジュール２０５はまた、非セルラー受信機（たとえば、ＷＬＡＮ受信機）を含み得る。受信機モジュール２０５は、図１を参照しながら説明したワイヤレス通信システム１００など、ワイヤレス通信システムの１つまたは複数の通信チャネルを介して、情報または送信と総称される、様々なタイプのデータおよび／または制御信号を受信するために使用され得る。データおよび／または制御信号は、場合によっては、呼（たとえば、ボイス呼、緊急ボイス呼など）を設定または維持するために使用される信号であり得る。
【００３７】
[0044]呼管理モジュール２１０は様々な機能を実行し得る。いくつかの実施形態では、呼管理モジュール２１０は、呼を設定し、維持し、必要な場合に再確立するために、１つまたは複数の基地局１０５または他のアクセスポイントと通信し得る。呼を設定することは、場合によっては、セル（たとえば、基地局）との無線リソース制御（ＲＲＣ）接続を確立することを含み得る。
【００３８】
[0045]場合によっては、呼管理モジュール２１０は、無線リンク障害の場合に、呼設定プロシージャを休止すること、および／または進行中の呼を維持することが可能であり得る。呼設定プロシージャ中またはその後に無線アクセス技術（たとえば、ＬＴＥ）に関する無線リンク障害を検出すると、呼管理モジュール２１０は、選択されたまたは選択されなかったパブリックランドモバイルネットワーク（ＰＬＭＮ）または等価ＰＬＭＮ（ＥＰＬＭＮ：equivalent PLMN）上で、同じ無線アクセス技術または異なる無線アクセス技術のセルについての探索を実行し得る。好適なセルが見つけ出されると、呼管理モジュール２１０は、場合によっては、ＲＲＣ接続を再確立し、呼設定プロシージャを続けるかまたは呼を維持することが可能であり得る。呼がその上で設定または維持されたＰＬＭＮのセル（またはＵＥ１１５−ａがすでに登録されているＥＰＬＭＮのセル）など、選択されたＰＬＭＮまたはＥＰＬＭＮのセルを初期に探索することによって、呼設定プロシージャ中の成功率および／または呼設定時間は改善され得、および／または進行中の呼が維持され得る確率は改善され得る。
【００３９】
[0046]送信機モジュール２１５は、ＬＴＥ／ＬＴＥ−Ａ受信機、ＧＳＭ受信機、ＵＭＴＳ受信機、および／または１ｘＲＴＴ受信機など、いくつかのセルラー送信機を含み得る。送信機モジュール２１５はまた、非セルラー送信機（たとえば、ＷＬＡＮ送信機）を含み得る。送信機モジュール２１５は、図１を参照しながら説明したワイヤレス通信システム１００などワイヤレス通信システムの１つまたは複数の通信チャネルを介して、情報または送信と総称される、様々なタイプのデータおよび／または制御信号を送信するために使用され得る。データおよび／または制御信号は、場合によっては、呼（たとえば、ボイス呼、緊急ボイス呼など）を設定または維持するために使用される信号であり得る。
【００４０】
[0047]次に図３を参照すると、ブロック図３００は、様々な実施形態に係る、無線リンク障害中に呼を管理するための別のデバイス１１５−ｂを示している。デバイス１１５−ｂは、図１および／または図２を参照しながら説明したＵＥ１１５のうちの１つの１つまたは複数の態様の一例であり得る。デバイス１１５−ｂはプロセッサであってもよい。デバイス１１５−ｂは、受信機モジュール２０５、呼管理モジュール２１０−ａ、および／または送信機モジュール２１５を含み得る。これらの構成要素の各々は互いと通信していることがある。
【００４１】
[0048]デバイス１１５−ｂの構成要素は、個別にまたは集合的に、ハードウェア中の適用可能な機能の一部または全部を実行するように適応された１つまたは複数のＡＳＩＣを使用して実装され得る。代替的に、それらの機能は、１つまたは複数の他の処理ユニット（またはコア）によって、１つまたは複数の集積回路上で実行され得る。他の実施形態では、当技術分野で知られている任意の様式でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００４２】
[0049]受信機モジュール２０５および送信機モジュール２１５は、図２を参照しながら前に説明したものと同様に構成され得る。呼管理モジュール２１０−ａは、図２を参照しながら説明した呼管理モジュール２１０の１つまたは複数の態様の一例であり得、無線リンク障害（ＲＬＦ）検出モジュール３０５、ＰＬＭＮ選択モジュール３１０、および／または探索モジュール３１５を含み得る。
【００４３】
[0050]いくつかの実施形態では、ＲＬＦ検出モジュール３０５は、無線アクセス技術に関する無線リンク障害を検出するためにＵＥ１１５−ｂによって使用され得る。ＲＬＦ検出モジュール３０５は、呼設定プロシージャ中またはその後に無線リンク障害を検出し得る。後者の場合、無線リンク障害の時間に、呼がすでに確立されていることがある。無線アクセス技術は、場合によっては、ＬＴＥ無線アクセス技術であり得る。
【００４４】
[0051]いくつかの実施形態では、ＰＬＭＮ選択モジュール３１０は、ＰＬＭＮおよびＥＰＬＭＮを選択するためにＵＥ１１５−ｂによって使用され得る。場合によっては、ＰＬＭＮおよびＥＰＬＭＮはＵＥ１１５−ｂによって自動的に選択され得る。場合によっては、選択されたＰＬＭＮは、ＲＬＦ検出モジュール３０５によって検出された無線リンク障害がその上で発生したＰＬＭＮであり得る。
【００４５】
[0052]いくつかの実施形態では、探索モジュール３１５は、呼設定プロシージャが続けられ得るまたは進行中の呼が維持され得るセルを探索するために使用され得る。場合によっては、セルとのＲＲＣ接続は、ＲＬＦ検出モジュール３０５によって検出された無線リンク障害より前に確立され得、その上で呼設定プロシージャが続けられ得るまたは進行中の呼が維持され得るセルの探索は、１）呼設定プロシージャ中の成功率および／または呼設定時間、ならびに／あるいは２）進行中の呼が維持され得る確率を改善し得る方法で行われ得る。特に、探索は、選択されたＰＬＭＮおよびＥＰＬＭＮ上で無線アクセス技術のセルについての初期探索を実行することを含み得る。
【００４６】
[0053]初期探索に少なくとも部分的に基づいて無線アクセス技術のセルを特定すると、特定されたセル上でＲＲＣ接続を再確立する試みが呼管理モジュール２１０−ａによって行われ得、成功した場合、無線リンク障害の時間に進行中の呼設定プロシージャが、再確立されたＲＲＣ接続を使用して続けられ得るか、または無線リンク障害の時間に進行中だった呼が、再確立されたＲＲＣ接続を使用して維持され得るかのいずれかである。
【００４７】
[0054]次に図４を参照すると、ブロック図４００は、様々な実施形態による呼管理モジュール２１０−ｂの一実施形態を示している。モジュール２１０−ｂは、図２および／または図３を参照しながら説明した呼管理モジュール２１０の１つまたは複数の態様の一例であり得る。モジュール２１０−ｂは、ＲＬＦ検出モジュール３０５−ａ、ＰＬＭＮ選択モジュール３１０、および／または探索モジュール３１５−ａを含み得、その各々は、図２を参照しながら説明したそれぞれのＲＬＦ検出モジュール３０５、ＰＬＭＮ選択モジュール３１０、および／または探索モジュール３１５の１つまたは複数の態様の一例であり得る。
【００４８】
[0055]呼管理モジュール２１０−ｂの構成要素は、個別にまたは集合的に、ハードウェア中の適用可能な機能の一部または全部を実行するように適応された１つまたは複数のＡＳＩＣを使用して実装され得る。代替的に、それらの機能は、１つまたは複数の他の処理ユニット（またはコア）によって、１つまたは複数の集積回路上で実行され得る。他の実施形態では、当技術分野で知られている任意の様式でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００４９】
[0056]いくつかの実施形態では、ＲＬＦ検出モジュール３０５−ａは、無線アクセス技術における無線リンク障害を検出するためにＵＥ１１５によって使用され得る。ＲＬＦ検出モジュール３０５−ａは、呼設定プロシージャ中またはその後に無線リンク障害を検出し得る。後者の場合、無線リンク障害の時間に、呼がすでに確立されていることがある。無線アクセス技術は、場合によっては、ＬＴＥ無線アクセス技術であり得る。
【００５０】
[0057]いくつかの実施形態では、ＲＬＦ検出モジュール３０５−ａはタイマーサブモジュール４０５を含み得る。タイマーサブモジュール４０５は、１つまたは複数のタイマーを管理するために使用され得る。無線リンク障害が検出されると、タイマーのうちの１つは開始（たとえば、始動）され得、呼設定プロシージャまたは進行中の呼を続けるために好適なセルを探索する間、ＵＥ１１５がＲＲＣ接続を維持する（たとえば、ＲＲＣ＿ＣＯＮＮＥＣＴＥＤ状態のままである）時間を制限するために使用され得る。
【００５１】
[0058]いくつかの実施形態では、ＰＬＭＮ選択モジュール３１０は、ＰＬＭＮおよびＥＰＬＭＮを選択するためにＵＥ１１５によって使用され得る。場合によっては、ＰＬＭＮおよびＥＰＬＭＮはＵＥ１１５によって自動的に選択され得る。場合によっては、選択されたＰＬＭＮは、ＲＬＦ検出モジュール３０５−ａによって検出された無線リンク障害がその上で発生したＰＬＭＮであり得る。
【００５２】
[0059]いくつかの実施形態では、探索モジュール３１５−ａは、その上で呼設定プロシージャが続けられ得るまたは進行中の呼が維持され得るセルを探索するために使用され得る。場合によっては、セルとのＲＲＣ接続は、ＲＬＦ検出モジュール３０５−ａによって検出された無線リンク障害より前に確立され得、その上で呼設定プロシージャが続けられ得るまたは進行中の呼が維持され得るセルの探索は、１）呼設定プロシージャ中の成功率および／または呼設定時間、ならびに／あるいは２）進行中の呼が維持され得る確率を改善し得る方法で行われ得る。いくつかの実施形態では、探索モジュール３１５−ａは、初期セル探索サブモジュール４１０、後続セル探索サブモジュール４１５、および／またはパラメータ設定サブモジュール４２０を含み得る。
【００５３】
[0060]いくつかの実施形態では、初期セル探索サブモジュール４１０は、無線リンク障害が検出された無線アクセス技術のセルについての初期探索を実行するために使用され得る。初期探索は、選択されたＰＬＭＮおよびＥＰＬＭＮ上で無線アクセス技術のセルについて実行され得る。初期探索に少なくとも部分的に基づいて無線アクセス技術のセルを特定すると、特定されたセル上でＲＲＣ接続を再確立する試みが呼管理モジュール２１０−ｂによって行われ得、成功した場合、無線リンク障害の時間に進行中の呼設定プロシージャが、再確立されたＲＲＣ接続を使用して続けられ得るか、または無線リンク障害の時間に進行中だった呼が、再確立されたＲＲＣ接続を使用して維持され得るかのいずれかである。
【００５４】
[0061]場合によっては、ＲＲＣ接続を再確立する試みは、基地局１０５にＲＲＣ接続再確立要求を送信することと、基地局１０５からＲＲＣ接続再確立メッセージを受信することと、次いで、基地局１０５にＲＲＣ接続再確立完了メッセージを送信することと、を含み得る。場合によっては、ＲＲＣ接続を再確立することに費やされる時間の最大量を制限するために、タイマーが使用され得る。ＲＲＣ接続がタイマーによって定められた時間期間内に再確立され得ない場合、初期セル探索サブモジュール４１０は、初期探索を繰り返すことを可能にされ得る。代替的に、制御は、後続セル探索サブモジュール４１５に受け渡され得る。
【００５５】
[0062]いくつかの実施形態では、初期セル探索サブモジュール４１０は、パラメータ設定サブモジュール４２０によって管理される設定可能パラメータに少なくとも部分的に基づいて、１回または２回初期探索を実行し得る。
【００５６】
[0063]初期セル探索サブモジュール４１０によって好適なセルが特定されない場合およびいくつかの実施形態では、後続セル探索サブモジュール４１５は、各利用可能なＰＬＭＮおよびＥＰＬＭＮ上で別の無線アクセス技術のセルの探索を実行し得る。場合によっては、探索は、複数の他の無線アクセス技術のセルの探索を含み得る。他の１つまたは複数の無線アクセス技術は、たとえば、非ＬＴＥ無線アクセス技術（たとえば、ＧＳＭ、ＵＭＴＳ、１ｘＲＴＴ、またはＷＬＡＮ）を含み得る。後続の探索を実行している間、無線リンク障害の時間に行われている呼または呼設定プロシージャのために使用されるＲＲＣ接続は維持され得る。
【００５７】
[0064]後続セル探索サブモジュール４１５が他の１つまたは複数の無線アクセス技術のセルの探索中に好適なセルを特定した場合、呼管理モジュール２１０−ｂは、１）進行中の呼をドロップする（たとえば、無線リンク障害の時間に行われている呼をドロップする）こと、または２）無線アクセス技術に関する呼設定プロシージャを終了する（たとえば、無線リンク障害の時間に行われている呼設定プロシージャを終了する）ことのいずれかを行い得る。場合によっては、維持されたＲＲＣ接続を終了すること（たとえば、ＬＴＥ  ＲＲＣ＿ＣＯＮＮＥＣＴＥＤ状態を離れること）に関連して、呼設定プロシージャが終了され得るか、または呼はドロップされ得る。呼管理モジュール２１０−ｂは、場合によっては、進行中の呼がドロップされたという通知、または呼設定プロシージャが終了されたという通知を生成し得る。
【００５８】
[0065]呼管理モジュール２１０−ｂが呼設定プロシージャを終了してまたは呼をドロップして、呼管理モジュール２１０−ｂを組み込んだＵＥ１１５の自動再ダイヤルまたは同様の特徴が可能にされた場合に、呼管理モジュール２１０−ｂは、呼を確立または再確立することを試みるために番号を自動的にリダイヤルし得る。場合によっては、呼を確立または再確立する試みは、他の無線アクセス技術の特定されたセルを使用して行われ得る。代替的に、呼管理モジュール２１０−ｂによって生成された通知を受信したユーザは別の呼を発し得、その呼は、場合によっては、他の無線アクセス技術の特定されたセルを介してルーティングされ得る。
【００５９】
[0066]場合によっては、後続セル探索サブモジュール４１５が他の無線技術のセルを探索することに費やす時間の最大量を制限するために、タイマーが使用され得る。タイマーによって定められた時間期間内に好適なセルが特定され得ない場合、後続セル探索サブモジュール４１５は、続いて、無線リンク障害中に使用されている無線アクセス技術のセルを探索するが、各利用可能なＰＬＭＮおよびＥＰＬＭＮ上で無線アクセス技術のセルを含めるように探索を拡大し得る。この探索中に好適なセルが特定された場合、特定されたセルが選択されたＰＬＭＮまたはＥＰＬＭＮ中にあるのかどうかを決定され得る。特定されたセルが選択されたＰＬＭＮまたはＥＰＬＭＮ内にあると決定された場合、呼管理モジュール２１０−ｂは、特定されたセル上にＲＲＣ接続を再確立することを試み得る。場合によっては、ＲＲＣ接続の再確立は、基地局１０５にＲＲＣ接続再確立を送信することと、基地局１０５からＲＲＣ接続再確立メッセージを受信することと、次いで、基地局１０５にＲＲＣ接続再確立完了メッセージを送信することと、を含み得る。ＲＬＦ検出モジュール３０５−ａによって検出された無線リンク障害が呼設定プロシージャ中に検出されたとき、無線リンク障害より前に始められた呼設定プロシージャは、ＲＲＣ接続の再確立時に続き得る。代替的に、ＲＬＦ検出モジュール３０５−ａによって検出された無線リンク障害が、呼設定プロシージャの後に（たとえば、進行中の呼中に）検出されたとき、無線リンク障害より前に始められた進行中の呼は、ＲＲＣ接続の再確立時に維持され得る。
【００６０】
[0067]特定されたセルが選択されなかったＰＬＭＮまたは選択されなかったＥＰＬＭＮ内にあると後続セル探索サブモジュール４１５が決定した場合、且つ、呼管理モジュール２１０−ｂを組み込んだＵＥ１１５が、特定されたセルのＰＬＭＮまたはＥＰＬＭＮにすでに登録されている場合、呼管理モジュール２１０−ｂはＴＡＵプロシージャを実行し得る。特定されたセルのＰＬＭＮまたはＥＰＬＭＮがＴＡＵを受け付けた場合、呼管理モジュール２１０−ｂは、無線リンク障害より前に始められた呼設定プロシージャを続けるか、または無線リンク障害より前に確立された呼を維持し得る。
【００６１】
[0068]特定されたセルのＰＬＭＮまたはＥＰＬＭＮがＴＡＵを受け付けない場合、呼管理モジュール２１０−ｂは、１）進行中の呼をドロップする（たとえば、無線リンク障害の時間に行われている呼をドロップする）こと、または２）無線アクセス技術を介して呼設定プロシージャを終了する（たとえば、無線リンク障害の時間に行われている呼設定プロシージャを終了する）ことのいずれかを行い得る。場合によっては、呼管理モジュール２１０−ｂが維持されたＲＲＣ接続を終了すること（たとえば、ＬＴＥ  ＲＲＣ＿ＣＯＮＮＥＣＴＥＤ状態を離れること）に関連して、呼がドロップされ得るか、または呼設定プロシージャが終了され得る。呼管理モジュール２１０−ｂは、場合によっては、進行中の呼がドロップされたという通知、または呼設定プロシージャが終了されたという通知を生成し得る。
【００６２】
[0069]場合によっては、後続セル探索サブモジュール４１５が、無線リンク障害中に使用されている無線アクセス技術のセルを探索すること、ＲＲＣ接続を再確立すること、および／またはＴＡＵプロシージャを実行することに費やす時間の最大量を制限するために、タイマーが使用され得る。好適なセルが特定されることができなかった場合、および／またはＲＲＣ接続が、タイマーによって定められた時間期間内に再確立されることができなかった場合、後続セル探索サブモジュール４１５は、好適なセルについてのいずれかおよびすべての探索を繰り返し得る。
【００６３】
[0070]呼管理モジュール２１０−ｂが、無線リンク障害時にタイマーサブモジュール４０５によって始動されたタイマーが満了したと決定した場合、呼管理モジュール２１０−ｂは、１）進行中の呼をドロップするかまたは呼設定プロシージャを終了し得、ならびに／あるいは２）自動的にまたは手動で別の呼が発され得る。
【００６４】
[0071]パラメータ設定サブモジュール４２０は、初期セル探索サブモジュール４１０が初期探索を実行する回数、または様々なタイマーの持続時間など、呼管理モジュール２１０−ｂによって使用されるパラメータを自動的にまたは手動で構成するために使用され得る。
【００６５】
[0072]図５は、ＵＥ１１５−ｃのブロック図５００の一例である。ＵＥ１１５−ｃは、図１、図２、図３および／または図４を参照しながら説明したＵＥ１１５の１つまたは複数の態様の一例であり得る。ＵＥ１１５−ｃは、様々な構成のいずれかを有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲーミングコンソール、電子リーダーなどであるか、またはその一部として含まれ得る。ＵＥ１１５−ｃは、モバイル動作を可能にするために、小型バッテリーなどの内部電源（図示せず）を有し得る。
【００６６】
[0073]ＵＥ１１５−ｃは、プロセッサモジュール５２５、メモリ５１５、（１つまたは複数の）トランシーバモジュール５１０、および／または（１つまたは複数の）アンテナ５０５を含み得る。これらの構成要素の各々は、１つまたは複数のバス５６０上で直接または間接的に互いと通信していることがある。
【００６７】
[0074]メモリ５１５はＲＡＭおよび／またはＲＯＭを含み得る。メモリ５１５は、実行されたときに、プロセッサモジュール５２５に、無線リンク障害中に呼を管理するための本明細書で説明する様々な機能を実行させるように構成された命令を含んでいるコンピュータ可読、コンピュータ実行可能ソフトウェア（ＳＷ）コード５２０を記憶し得る。代替的に、ソフトウェアコード５２０は、プロセッサモジュール５２５によって直接的に実行可能でないことがあるが、（たとえば、コンパイルされ実行されると）ＵＥ１１５−ｃに本明細書で説明する様々な機能を実行させるように構成され得る。
【００６８】
[0075]プロセッサモジュール５２５は、たとえば、ＣＰＵ、マイクロコントローラ、ＡＳＩＣなど、インテリジェントハードウェアデバイスを含み得る。プロセッサモジュール５２５は、（１つまたは複数の）アンテナ５０５と（１つまたは複数の）トランシーバモジュール５１０とを介して受信された情報を処理し得、および／または（１つまたは複数の）トランシーバモジュール５１０と（１つまたは複数の）アンテナ５０５とを介して送信されるべき情報を送り得る。プロセッサモジュール５２５は、単体で、またはＵＥ１１５−ｃの他の構成要素またはモジュール（たとえば、ＲＲＣ接続モジュール５４０、呼設定モジュール５４５、トラッキングエリア更新モジュール５５０、および／または通知生成モジュール５５５）と組み合わせて、本明細書で説明するように、無線リンク障害中に呼を管理することの様々な態様を扱い得る。いくつかの実施形態では、プロセッサモジュール５２５は、図２、図３および／または図４を参照しながら説明した呼管理モジュール２１０の１つまたは複数の態様を実装し得る。
【００６９】
[0076]（１つまたは複数の）トランシーバモジュール５１０は、基地局または他のデバイスと双方向に通信するように構成され得る。（１つまたは複数の）トランシーバモジュール５１０は、場合によっては、１つまたは複数の送信機モジュールおよび１つまたは複数の別個の受信機モジュールとして実装され得る。（１つまたは複数の）トランシーバモジュール５１０は、パケットを変調し、変調されたパケットを送信のために（１つまたは複数の）アンテナ５０５に与え、（１つまたは複数の）アンテナ５１０から受信されたパケットを復調するように構成され得る。ＵＥ１１５−ｃは単一のアンテナのみを有してもよいが、ＵＥ１１５−ｃは複数のアンテナ５０５を含んでもよい。
【００７０】
[0077]図５のアーキテクチャによれば、ＵＥ１１５−ｃは、通信管理モジュール５３０および状態モジュール５３５をさらに含み得る。通信管理モジュール５３０は、基地局１０５および／または他のＵＥ１１５との通信を確立および管理し得る。例として、通信管理モジュール５３０は、１つまたは複数のバス５６０を介してＵＥ１１５−ｃの他の構成要素の一部または全部と通信しているＵＥ１１５−ｃの構成要素であり得る。代替的に、通信管理モジュール５３０の機能は、（１つまたは複数の）トランシーバモジュール５１０の構成要素として、メモリ５１５に記憶されたコンピュータプログラム製品として、および／またはプロセッサモジュール５２５の１つまたは複数のコントローラ要素として実装され得る。
【００７１】
[0078]状態モジュール５３５は、現在のデバイス状態（たとえば、コンテキスト、認証、基地局関連付け、および／または他の接続性問題）を反映および制御し得る。
【００７２】
[0079]次にモジュール５４０、５４５、５５０および５５５を参照すると、ＲＲＣ接続モジュール５４０は、基地局または他のデバイスとのＲＲＣ接続を確立するために使用され得る。いくつかの実施形態では、ＲＲＣ接続は呼中に確立され得る。場合によっては、ＲＲＣ接続モジュール５４０は、呼中の、または呼のための呼設定プロシージャ中の無線アクセス技術に関する無線リンク障害にもかかわらず、呼のために取得されたＲＲＣ接続を維持し得る。ある時間期間の間、ＲＲＣ接続は維持され得るが、ＲＲＣ接続を再確立するために好適なセルについての１つまたは複数の探索が実行される。場合によっては、ＵＥ１１５−ｃが無線リンク障害の後に来るＲＲＣ接続を維持する時間を制限するために、タイマーが使用され得る。
【００７３】
[0080]いくつかの実施形態では、呼設定モジュール５４５は、ＵＥ１１５−ｃまたはそれのユーザから、呼が発される必要があるという指示があると、呼設定プロシージャを実行するために使用され得る。場合によっては、呼設定モジュール５４５は、無線リンク障害の場合に呼設定プロシージャを休止し、呼のためのＲＲＣ接続のＵＥの再確立時に呼設定プロシージャを続けることが可能であり得る。
【００７４】
[0081]いくつかの実施形態では、トラッキングエリア更新モジュール５５０は、トラッキングエリア更新（ＴＡＵ：tracking area update）プロシージャを実行するために使用され得る。ＴＡＵプロシージャは、場合によっては、ＵＥ１１５−ｃが登録されるＰＬＭＮ上で無線アクセス技術のセルを介して、呼を維持するか、または呼設定プロシージャを続けるために使用され得る。
【００７５】
[0082]いくつかの実施形態では、通知生成モジュール５５５は、呼がドロップされたときに、または呼設定プロシージャが終了されたときに、ＵＥ１１５−ｃのユーザに通知するために使用され得る。通知を受信すると、ユーザは、たとえば、別の呼を発し得る。通知生成モジュール５５５はまた、たとえば、無線リンク障害が発生したことを示す通知を生成するか、ならびに／あるいはＵＥ１１５−ｃが呼を確立、維持または再確立するためのステップを着手していることを示し得る。
【００７６】
[0083]例として、ＲＲＣ接続モジュール５４０、呼設定モジュール５４５、トラッキングエリア更新モジュール５５０、および／または通知生成モジュール５５５は、１つまたは複数のバス５６０を介してＵＥ１１５−ｃの他の構成要素の一部または全部と通信しているＵＥ１１５−ｃの構成要素であり得る。代替的に、モジュール５４０、５４５、５５０、および／または５５５の機能は、メモリ５１５に記憶されたコンピュータプログラム製品として、および／またはプロセッサモジュール５２５の１つまたは複数のコントローラ要素として実装され得る。
【００７７】
[0084]ＵＥ１１５−ｃの構成要素は、個別にまたは集合的に、ハードウェア中の適用可能な機能の一部または全部を実行するように適応された１つまたは複数のＡＳＩＣを用いて実装され得る。代替的に、それらの機能は、１つまたは複数の他の処理ユニット（またはコア）によって、１つまたは複数の集積回路上で実行され得る。他の実施形態では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。言及したモジュールの各々は、ＵＥ１１５−ｃの動作に関係する１つまたは複数の機能を実行する手段であり得る。
【００７８】
[0085]図６は、無線リンク障害中のＵＥの緊急呼などの呼の管理中にＵＥ１１５−ｄとＬＴＥ基地局１０５−ａとの間の通信の一実施形態を示すメッセージフロー図６００である。ＵＥ１１５−ｄは、図１、図２、図３、図４および／または図５を参照しながら説明したＵＥ１１５の１つまたは複数の態様の一例であり得る。ＬＴＥ基地局１０５−ａは、図１を参照しながら説明した基地局１０５の１つまたは複数の態様の一例であり得る。
【００７９】
[0086]メッセージフローは、緊急呼設定プロシージャなどの呼設定プロシージャまたは緊急であり得る進行中の呼６０５に関与するＵＥ１１５−ｄとＬＴＥ基地局１０５−ａとから始まり得る。呼設定プロシージャまたは進行中の呼６０５はＬＴＥ無線リンク上で行われ得る。
【００８０】
[0087]ブロック６１０において、ＵＥ１１５−ｄは、無線リンク障害（すなわち、呼設定プロシージャまたは進行中の呼６０５がその上で行われているＬＴＥ無線リンクの障害）を検出する。ブロック６１０における（１つまたは複数の）動作は、場合によっては、図２、図３および／または図４を参照しながら説明した呼管理モジュール２１０、図３および／または図４を参照しながら説明したＲＬＦ検出モジュール３０５、ならびに／あるいは図５を参照しながら説明したプロセッサモジュール５２５を使用して実行され得る。
【００８１】
[0088]ブロック６１５において、ＵＥ１１５−ｄはタイマーを開始する。呼設定プロシージャまたは進行中の呼６０５を続けるために好適なセルを探索する間、ＵＥ１１５−ｄがＲＲＣ接続を維持し得る（たとえば、ＲＲＣ＿ＣＯＮＮＥＣＴＥＤ状態のままであり得る）時間を制限するために、タイマーが使用され得る。また、ブロック６１５において、ＰＬＭＮおよびＥＰＬＭＮが選択され得る。選択されたＰＬＭＮは、場合によっては、無線リンク障害がその上で発生したＰＬＭＮであり得る。場合によっては、ＰＬＭＮおよび／またはＥＰＬＭＮを選択することは、呼および／または無線リンク障害検出の前に行われ得ることに留意されたい。ブロック６１５における（１つまたは複数の）動作は、場合によっては、図２、図３、および／または図４を参照しながら説明した呼管理モジュール２１０、図３および／または図４を参照しながら説明したＲＬＦ検出モジュール３０５および／またはＰＬＭＮ選択モジュール３１０、ならびに／あるいは図５を参照しながら説明したプロセッサモジュール５２５を使用して実行され得る。タイマーは、図４を参照しながら説明したタイマーサブモジュール４０５を使用して開始および／または維持され得る。
【００８２】
[0089]ブロック６２０において、ＵＥ１１５−ｄは、選択されたＰＬＭＮおよびＥＰＬＭＮ上でＬＴＥ無線アクセス技術のセルの探索を開始する。選択されたＰＬＭＮは、ＲＬＦがその上で発生したＰＬＭＮであり得る。ブロック８１５における（１つまたは複数の）動作は、場合によっては、図２、図３、および／または図４を参照しながら説明した呼管理モジュール２１０、図３および／または図４を参照しながら説明した探索モジュール３１５、ならびに／あるいは図５を参照しながら説明したプロセッサモジュール５２５を使用して実行され得る。
【００８３】
[0090]ＬＴＥ基地局１０５−ａを含むセルを特定すると、ＵＥ１１５−ｄは、特定したセル上にＲＲＣ接続を再確立することを試み得る。場合によっては、ＲＲＣ接続の再確立は、ＬＴＥ基地局１０５−ａにＲＲＣ接続再確立要求６３０を送信することと、ＬＴＥ基地局１０５−ａからＲＲＣ接続再確立メッセージ６３５を受信することと、次いで、基地局１０５−ａにＲＲＣ接続再確立完了メッセージ６４０を送信することと、を含み得る。ブロック６４５において、次いで、ＵＥ１１５−ｄが、呼設定プロシージャまたは進行中の呼６０５を続けるか、または維持する。メッセージ６３０、６３５、および６４０の交換によって少なくとも部分的に定められたＲＲＣ接続確立プロシージャは、場合によっては、図２、図３、および／または図４を参照しながら説明した呼管理モジュール２１０、ならびに／あるいは図５を参照しながら説明したプロセッサモジュール５２５を使用して実行され得る。
【００８４】
[0091]選択されたＰＬＭＮ（またはＲＬＦがその上で発生したＰＬＭＮ）およびＥＰＬＭＮ上でＬＴＥ無線アクセス技術のセルを初期に探索することによって、すべての利用可能なＰＬＭＮ上ですべての無線アクセス技術のすべてのセルをランダムに探索するのではなく、呼設定プロシージャ中の成功率および／または呼設定時間は改善され得、ならびに／あるいは進行中の呼が維持され得る確率は改善され得る。
【００８５】
[0092]図７は、無線リンク障害中に呼を管理するための方法７００の一例を示すフローチャートである。明確にするために、方法７００について、図１、図２、図３、図５、および／または図６を参照しながら説明したＵＥ１１５のうちの１つ、ならびに／あるいは図２、図３、および／または図４を参照しながら説明した呼管理モジュール２１０に関して以下で説明する。一実施形態では、ＵＥ１１５は、以下で説明する機能を実行するためにＵＥ１１５の機能要素を制御するためのコードの１つまたは複数のセットを実行し得る。
【００８６】
[0093]ブロック７０５において、無線アクセス技術に関する無線リンク障害が検出され得る。無線リンク障害は、呼設定プロシージャ中またはその後に検出され得る。後者の場合、無線リンク障害の時間に、呼がすでに確立されていることがある。無線アクセス技術は、場合によっては、ＬＴＥ無線アクセス技術であり得る。ブロック７０５における（１つまたは複数の）動作は、場合によっては、図２、図３、および／または図４を参照しながら説明した呼管理モジュール２１０、図３および／または図４を参照しながら説明したＲＬＦ検出モジュール３０５、ならびに／あるいは図５を参照しながら説明したプロセッサモジュール５２５を使用して実行され得る。
【００８７】
[0094]ブロック７１０において、ＰＬＭＮおよびＥＰＬＭＮが選択され得る。選択されたＰＬＭＮは、場合によっては、無線リンク障害がその上で発生したＰＬＭＮであり得る。ブロック７１０における（１つまたは複数の）動作は、場合によっては、図２、図３、および／または図４を参照しながら説明した呼管理モジュール２１０、図３および／または図４を参照しながら説明したＰＬＭＮ選択モジュール３１０、ならびに／あるいは図５を参照しながら説明したプロセッサモジュール５２５を使用して実行され得る。
【００８８】
[0095]ブロック７１５において、無線アクセス技術のセルについての初期探索が選択されたＰＬＭＮおよびＥＰＬＭＮ上で実行され得る。ブロック７１５における（１つまたは複数の）動作は、場合によっては、図２、図３、および／または図４を参照しながら説明した呼管理モジュール２１０、図３および／または図４を参照しながら説明した探索モジュール３１５、ならびに／あるいは図５を参照しながら説明したプロセッサモジュール５２５を使用して実行され得る。
【００８９】
[0096]選択されたＰＬＭＮおよびＥＰＬＭＮ上で無線アクセス技術のセルを初期に探索することによって、すべての利用可能なＰＬＭＮ上ですべての無線アクセス技術のすべてのセルをランダムに探索するのではなく、呼設定プロシージャ中の成功率および／または呼設定時間は改善され得、ならびに／あるいは進行中の呼が維持され得る確率は改善され得る。
【００９０】
[0097]したがって、方法７００は、無線リンク障害中に呼を管理することを提供し得る。方法７００は一実装形態にすぎないこと、および方法７００の動作は、他の実装形態が可能であるように、並べ替えられるかまたは場合によっては変更され得ることに留意されたい。
【００９１】
[0098]図８から図１０は、無線リンク障害中に、緊急呼などの呼を管理するための方法８００の一例を示すフローチャートである。明確にするために、方法８００について、図１、図２、図３、図５、および／または図６を参照しながら説明したＵＥ１１５のうちの１つ、ならびに／あるいは図２、図３、および／または図４を参照しながら説明した呼管理モジュール２１０に関して以下で説明する。一実施形態では、ＵＥ１１５は、以下で説明する機能を実行するためにＵＥ１１５の機能要素を制御するためのコードの１つまたは複数のセットを実行し得る。
【００９２】
[0099]ブロック８０５において、無線アクセス技術に関する無線リンク障害が検出され得る。無線リンク障害は、緊急呼設定プロシージャなどの呼設定プロシージャ中またはその後に検出され得る。後者の場合、無線リンク障害の時間に、緊急呼であり得る呼がすでに確立されていることがある。無線アクセス技術は、場合によっては、ＬＴＥ無線アクセス技術であり得る。ブロック８０５における（１つまたは複数の）動作は、場合によっては、図２、図３、および／または図４を参照しながら説明した呼管理モジュール２１０、図３および／または図４を参照しながら説明したＲＬＦ検出モジュール３０５、ならびに／あるいは図５を参照しながら説明したプロセッサモジュール５２５を使用して実行され得る。
【００９３】
[0100]無線リンク障害が検出されると、ブロック８１０において、タイマーが開始（たとえば、始動）され得、ＰＬＭＮおよびＥＰＬＭＮが選択され得る。選択されたＰＬＭＮは、ＲＬＦがその上で発生したＰＬＭＮであり得る。呼設定プロシージャまたは進行中の呼を続けるために好適なセルを探索する間、ＵＥ１１５がＲＲＣ接続を維持する（たとえば、ＲＲＣ＿ＣＯＮＮＥＣＴＥＤ状態のままである）時間を制限するために、タイマーが使用され得る。選択されたＰＬＭＮは、場合によっては、無線リンク障害がその上で発生したＰＬＭＮであり得る。ブロック８１０における（１つまたは複数の）動作は、場合によっては、図２、図３、および／または図４を参照しながら説明した呼管理モジュール２１０、図３および／または図４を参照しながら説明したＲＬＦ検出モジュール３０５および／またはＰＬＭＮ選択モジュール３１０、ならびに／あるいは図５を参照しながら説明したプロセッサモジュール５２５を使用して実行され得る。タイマーは、図４を参照しながら説明したタイマーサブモジュール４０５を使用して開始および／または維持され得る。
【００９４】
[0101]ブロック８１５において、無線アクセス技術のセルについての初期探索が、選択されたＰＬＭＮ（たとえば、ＲＬＦがその上で発生したＰＬＭＮ）およびＥＰＬＭＮ上で実行され得る。ブロック８１５における（１つまたは複数の）動作は、場合によっては、図２、図３、および／または図４を参照しながら説明した呼管理モジュール２１０、図３および／または図４を参照しながら説明した探索モジュール３１５、ならびに／あるいは図５を参照しながら説明したプロセッサモジュール５２５を使用して実行され得る。
【００９５】
[0102]ブロック８２０において初期探索中に好適なセルが特定された場合、方法８００は、ブロック８３０、８３５、８４０、および８４５において、特定されたセル上にＲＲＣ接続を再確立することを試み得る。場合によっては、ＲＲＣ接続の再確立は、ブロック８３０においてＲＲＣ接続再確立要求を送信すること（たとえば、基地局１０５に要求を送信すること）と、ブロック８３５においてＲＲＣ接続再確立メッセージを受信すること（たとえば、基地局１０５からメッセージを受信すること）と、次いで、ブロック８４０においてＲＲＣ接続再確立完了メッセージを送信すること（たとえば、基地局１０５にメッセージを送信すること）と、を含み得る。ブロック８０５において検出された無線リンク障害が緊急呼設定プロシージャなどの呼設定プロシージャ中に検出された場合、ブロック８４５において、ＲＲＣ接続の再確立時に呼設定プロシージャが続けられ得る。ブロック８０５において検出された無線リンク障害が呼設定プロシージャの後に（たとえば、緊急呼であり得る進行中の呼中に）検出された場合、ブロック８４５において、ＲＲＣ接続の再確立時に進行中の呼が維持され得る。場合によっては、ブロック８３０、８３５、および８４０において、ＲＲＣ接続を再確立することに費やされる時間の最大量を制限するために、タイマーが使用され得る。ＲＲＣ接続、タイマーによって定められた時間期間内に再確立されることができなかった場合、方法８００は、たとえば、ブロック８２５において実行される処理に戻り得る。
【００９６】
[0103]ブロック８３０、８３５、８４０、および／または８４５において（１つまたは複数の）動作は、場合によっては、図２、図３、および／または図４を参照しながら説明した呼管理モジュール２１０、ならびに／あるいは図５を参照しながら説明したプロセッサモジュール５２５および／またはＲＲＣ接続モジュール５４０を使用して実行され得る。
【００９７】
[0104]ブロック８２０において、初期探索中に好適なセルが特定されない場合、方法８００はブロック８２５に進み得、そこで、選択されたＰＬＭＮおよびＥＰＬＭＮ上で無線アクセス技術のセルについての初期探索を繰り返すべきか（すなわち、初期探索を再び実行すべきか）どうかが決定され得る。初期探索を繰り返すかどうかの決定は、初期探索が１回実行されるべきであるという指示、または初期探索が２回実行されるべきであるという指示などの設定可能パラメータに少なくとも部分的に基づき得る。初期探索を繰り返すという決定がなされた場合、処理はブロック８１５に戻り得る。初期探索を繰り返さないという決定がなされた場合、処理は、「Ａ」と標示された接続バブルによって示されるように、図９のブロック９０５に進み得る。
【００９８】
[0105]ブロック９０５において、初期探索を実行した後に無線アクセス技術のセルが特定されない場合、各利用可能なＰＬＭＮ上で他の無線アクセス技術のセルについての後続の探索を実行する。場合によっては、探索は、複数の他の無線アクセス技術のセルについての探索を含み得る。１つまたは複数の他の無線アクセス技術は、たとえば、非ＬＴＥ無線アクセス技術（たとえば、ＧＳＭ、ＵＭＴＳ、１ｘＲＴＴ、またはＷＬＡＮ）を含み得る。後続の探索を実行している間、無線リンク障害の時間に行われている呼または呼設定プロシージャのために使用されるＲＲＣ接続は維持され得る。
【００９９】
[0106]ブロック９０５における（１つまたは複数の）動作は、場合によっては、図２、図３、および／または図４を参照しながら説明した呼管理モジュール２１０、図３および／または図４を参照しながら説明した探索モジュール３１５、ならびに／あるいは図５を参照しながら説明したプロセッサモジュール５２５を使用して実行され得る。
【０１００】
[0107]ブロック９１０において、１つまたは複数の他の無線アクセス技術のセルについての探索中に好適なセルが特定された場合、方法８００はブロック９３５に進み得、そこで、１）進行中の呼がドロップされ得る（たとえば、無線リンク障害の時間に行われている呼がドロップされ得る）こと、または２）無線アクセス技術に関する呼設定プロシージャが終了され得る（たとえば、無線リンク障害の時間に行われている呼設定プロシージャが終了され得る）ことのいずれかを行われる。場合によっては、維持されたＲＲＣ接続を終了すること（たとえば、ＬＴＥ  ＲＲＣ＿ＣＯＮＮＥＣＴＥＤ状態を離れること）に関連して、呼がドロップされ得るか、または呼設定プロシージャが終了され得る。ブロック９４０において、進行中の呼がドロップされたという通知、または呼設定プロシージャが終了されたという通知が生成され得る。
【０１０１】
[0108]ブロック９３５および／または９４０における（１つまたは複数の）動作は、場合によっては、図２、図３、および／または図４を参照しながら説明した呼管理モジュール２１０、ならびに／あるいは図５を参照しながら説明したプロセッサモジュール５２５および／または通知生成モジュール５５５を使用して実行され得る。
【０１０２】
[0109]ブロック９３５において呼設定プロシージャが終了されるか、または呼がドロップされる場合、且つ、ＵＥ１１５の自動再ダイヤルまたは同様の特徴が可能にされた場合、ＵＥ１１５は、呼を確立または再確立することを試みるために番号を自動的にリダイヤルし得る。場合によっては、呼を確立または再確立する試みは、他の無線アクセス技術の特定されたセルを使用して行われ得る。代替的に、ブロック９４０において生成された通知を受信したユーザは別の呼を発し得、その呼は、場合によっては、他の無線アクセス技術の特定されたセル上でルーティングされ得る。
【０１０３】
[0110]場合によっては、ブロック９０５において他の無線技術のセルを探索することに費やされる時間の最大量を制限するために、タイマーが使用され得る。タイマーによって定められた時間期間内に好適なセルが特定されることができなかった場合、方法８００は、たとえば、ブロック９１５において実行される処理に続き得る。
【０１０４】
[0111]ブロック９１０において、他の１つまたは複数の無線アクセス技術のセルの探索中に好適なセル（たとえば、１つまたは複数の他の無線アクセス技術のセル）が特定されない場合、方法８００はブロック９１５に進み得、そこで、ブロック８１０において始動されたタイマーが満了したかどうかが決定され得る。タイマーが満了したと決定された場合、方法はブロック９３５に進み得、そこで、前に説明したように、進行中の呼がドロップされ得るか、または呼設定プロシージャが終了され得る。次いで、別の呼が自動的にまたは手動で発され得る。
【０１０５】
[0112]ブロック９１５においてタイマーが満了していないと決定された場合、ブロック９２０において、無線アクセス技術のセルについての後続の探索が実行され得る。しかしながら、ブロック９２０において、ブロック８１０において選択されたＰＬＭＮだけでなく、各利用可能なＰＬＭＮ上で探索が実行され得る。すなわち、ブロック８１５における初期探索に関与する無線アクセス技術に関する探索は、すべてのＰＬＭＮについてのＬＴＥセルに拡張され得る。探索は、選択されたＰＬＭＮ（またはＲＬＦがその上で発生したＰＬＭＮ）およびＥＰＬＭＮから始まり得る。ブロック９２０における（１つまたは複数の）動作は、場合によっては、図２、図３、および／または図４を参照しながら説明した呼管理モジュール２１０、図３および／または図４を参照しながら説明した探索モジュール３１５、ならびに／あるいは図５を参照しながら説明したプロセッサモジュール５２５を使用して実行され得る。
【０１０６】
[0113]ブロック９２５において、ブロック９２０において実行されたセルの探索中に好適なセルが特定されない場合、方法８００はブロック９３０に進み得、そこで、ブロック８１０において始動されたタイマーが満了したかどうかが決定され得る。タイマーが満了したと決定された場合、方法８００はブロック９３５にもう一度進み得、そこで、前に説明したように、１）進行中の呼がドロップされ得ることまたは呼設定プロシージャが終了され得ること、ならびに／あるいは２）別の呼が自動的にまたは手動で発され得ることが行われる。タイマーが満了していないと決定された場合、方法８００はブロック９０５に進み得、そこで、セルの探索が続けられ得る。
【０１０７】
[0114]ブロック９２５において、ブロック９２０において実行されたセルの探索中に好適なセルが特定された場合、方法８００は、「Ｂ」と標示された接続バブルによって示されるように、図１０のブロック１００５に進み得る。
【０１０８】
[0115]ブロック１００５において、ブロック９２５において特定されたセルが、選択されたＰＬＭＮ（またはＲＬＦがその上で発生したＰＬＭＮ）あるいはＥＰＬＭＮ中にあるかどうかが決定され得る。特定されたセルが、選択されたＰＬＭＮまたはＥＰＬＭＮ内にあると決定された場合、方法８００は、ブロック１０１０、１０１５、１０２０、および１０２５において、特定されたセル上にＲＲＣ接続を再確立することを試み得る。場合によっては、ＲＲＣ接続の再確立は、ブロック１０１０においてＲＲＣ接続再確立要求を送信すること（たとえば、基地局１０５に要求を送信すること）と、ブロック１０１５においてＲＲＣ接続再確立メッセージを受信すること（たとえば、基地局１０５からメッセージを受信すること）と、ブロック１０２０においてＲＲＣ接続再確立完了メッセージを送信すること（たとえば、基地局１０５にメッセージを送信すること）と、を含み得る。ブロック８０５において検出された無線リンク障害が緊急呼設定プロシージャなどの呼設定プロシージャ中に検出された場合、ブロック１０２５において、ＲＲＣ接続の再確立時に、無線リンク障害より前に始められた呼設定プロシージャが続き得る。ブロック８０５において検出された無線リンク障害が呼設定プロシージャの後に（たとえば、緊急呼であり得る進行中の呼中に）検出された場合、ブロック１０２５において、ＲＲＣ接続の再確立時に、無線リンク障害より前に始められた進行中の呼が維持され得る。
【０１０９】
[0116]ブロック１０１０、１０１５、１０２０、および／または１０２５において（１つまたは複数の）動作は、場合によっては、図２、図３、および／または図４を参照しながら説明した呼管理モジュール２１０、ならびに／あるいは図５を参照しながら説明したプロセッサモジュール５２５および／またはＲＲＣ接続モジュール５４０を使用して実行され得る。
【０１１０】
[0117]ブロック１００５において、特定されたセルが、選択されなかったＰＬＭＮまたは選択されなかったＥＰＬＭＮ内にあると決定された場合、および方法８００を実行するＵＥ１１５が、特定されたセルのＰＬＭＮまたはＥＰＬＭＮにすでに登録されている場合、方法８００は、ブロック１０３０において、ＴＡＵプロシージャの実行を続け得る。ブロック１０３５において、特定されたセルのＰＬＭＮがＴＡＵを受け付けた場合、ブロック１０２５において、ブロック８０５において検出された無線リンク障害より前に始められた呼設定プロシージャまたは呼が続き得る。
【０１１１】
[0118]ブロック１０３５において、特定されたセルのＰＬＭＮがＴＡＵを受け付けない場合、方法８００はブロック１０４０に進み得、そこで、１）進行中の呼がドロップされ得る（たとえば、無線リンク障害の時間に行われている呼がドロップされ得る）こと、または２）無線アクセス技術に関する呼設定プロシージャが終了され得る（たとえば、無線リンク障害の時間に行われている呼設定プロシージャが終了され得る）ことのいずれかが行われる。場合によっては、維持されたＲＲＣ接続を終了すること（たとえば、ＬＴＥ  ＲＲＣ＿ＣＯＮＮＥＣＴＥＤ状態を離れること）に関連して、呼がドロップされ得るか、または呼設定プロシージャが終了され得る。ブロック１０４５において、進行中の呼がドロップされたという通知または呼設定プロシージャが終了されたという通知が生成され得る。
【０１１２】
[0119]ブロック１０３０および／または１０３５における（１つまたは複数の）動作は、場合によっては、図２、図３、および／または図４を参照しながら説明した呼管理モジュール２１０、ならびに／あるいは図５を参照しながら説明したプロセッサモジュール５２５および／またはＴＡＵモジュール５５０を使用して実行され得る。
【０１１３】
[0120]ブロック１０４０において呼設定プロシージャが終了されるまたは呼がドロップされる場合、およびＵＥ１１５の自動再ダイヤルまたは同様の特徴が可能にされた場合、ＵＥ１１５は、呼を確立または再確立することを試みるために番号を自動的にリダイヤルし得る。場合によっては、呼を確立または再確立する試みは、他の無線アクセス技術の特定されたセルを使用して行われ得る。代替的に、ブロック１０４５において生成された通知を受信したユーザは別の呼を発し得、その呼は、場合によっては、他の無線アクセス技術の特定されたセル上でルーティングされ得る。
【０１１４】
[0121]場合によっては、ブロック９２０においてセルを探索すること、ブロック１０１０、１０１５、および１０２０においてＲＲＣ接続を再確立すること、ならびに／またはブロック１０３０においてＴＡＵプロシージャを実行することに費やされる時間の最大量を制限するために、タイマーが使用され得る。タイマーによって定義された時間期間内に、好適なセルが特定され得ない、および／またはＲＲＣ接続が再確立され得ない場合、方法８００は、たとえば、ブロック９０５および／または９１５において実行される処理に続き得る。
【０１１５】
[0122]選択されたＰＬＭＮおよびＥＰＬＭＮ上で無線アクセス技術のセルを初期に探索することと、次いで、他の無線アクセス技術のセルおよび／あるいは選択されなかったＰＬＭＮまたは選択されなかったＥＰＬＭＮに関連するセルを探索することとによって、呼設定プロシージャ中の成功率および／または呼設定時間は改善され得、ならびに／あるいは進行中の呼が維持され得る確率は改善され得る。
【０１１６】
[0123]したがって、方法８００は、無線リンク障害中に呼を管理することを行い得る。方法８００は一実装形態にすぎないこと、および方法８００の動作は、他の実装形態が可能であるように、並べ替えられるかまたは場合によっては変更され得ることに留意されたい。
【０１１７】
[0124]添付の図面に関して上記に記載した詳細な説明は、例示的な実施形態について説明しており、実装され得るまたは特許請求の範囲内に入る実施形態のみを表すものではない。この説明全体にわたって使用する「例示的」という用語は、「例、事例、または例示の働きをすること」を意味し、「好ましい」または「他の実施形態よりも有利な」を意味しない。詳細な説明は、説明した技法の理解を与えるために、具体的な詳細を含む。ただし、これらの技法は、これらの具体的な詳細なしに実施され得る。いくつかの事例では、説明した実施形態の概念を不明瞭にすることを回避するために、よく知られている構造およびデバイスがブロック図の形式で示されている。
【０１１８】
[0125]本明細書で説明した技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００、ＩＳ−９５およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ）などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ：ＬＴＥ−Ａｄｖａｎｃｅｄ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ：3rd Generation Partnership Project）という名称の組織からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のシステムおよび無線技術、ならびに他のシステムおよび無線技術のために使用され得る。ただし、以下の説明では、例としてＬＴＥシステムについて説明し、以下の説明の大部分においてＬＴＥ用語が使用されるが、本技法はＬＴＥ適用例以外に適用可能である。
【０１１９】
[0126]様々な開示する実施形態のいくつかに適応し得る通信ネットワークは、階層化プロトコルスタックに従って動作するパケットベースネットワークであり得る。たとえば、ベアラまたはパケットデータコンバージェンスプロトコル（ＰＤＣＰ：Packet Data Convergence Protocol）レイヤにおける通信はＩＰベースであり得る。無線リンク制御（ＲＬＣ）レイヤが、論理チャネルを介して通信するためにパケットセグメンテーションおよびリアセンブリを実行し得る。媒体アクセス制御（ＭＡＣ：Medium Access Control）レイヤが、優先度処理と、トランスポートチャネルへの論理チャネルの多重化とを実行し得る。ＭＡＣレイヤはまた、リンク効率を改善するためにＭＡＣレイヤにおいて再送信を行うためにハイブリッドＡＲＱ（ＨＡＲＱ）を使用し得る。物理レイヤにおいて、トランスポートチャネルは物理チャネルにマッピングされ得る。
【０１２０】
[0127]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁場または磁性粒子、光場または光学粒子、あるいはそれらの任意の組合せによって表され得る。
【０１２１】
[0128]本明細書の開示に関して説明した様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実施するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。プロセッサは、場合によっては、メモリと電子通信していることがあり、メモリは、プロセッサによって実行可能な命令を記憶する。
【０１２２】
[0129]本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示および添付の特許請求の範囲および趣旨内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理ロケーションにおいて実装されるように分散されることを含めて、様々な位置に物理的に配置され得る。特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１２３】
[0130]コンピュータプログラム製品またはコンピュータ可読媒体はいずれも、ある場所から別の場所へのコンピュータプログラムの転送を容易にする任意の媒体を含む、コンピュータ可読記憶媒体と通信媒体とを含む。記憶媒体は、汎用または専用コンピュータによってアクセスされ得る任意の媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のコンピュータ可読プログラムコードを搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモート光源から送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【０１２４】
[0131]本開示についての以上の説明は、当業者が本開示を作成または使用することができるように与えたものである。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及した例についての選好を暗示せず、または必要としない。したがって、本開示は、本明細書で説明した例および設計に限定されるべきでなく、本明細書で開示する原理および新規の特徴に合致する最も広い範囲を与えられるべきである。
【図１】
2016532395.tif 000003
【図２】
2016532395.tif 000004
【図３】
2016532395.tif 000005
【図４】
2016532395.tif 000006
【図５】
2016532395.tif 000007
【図６】
2016532395.tif 000008
【図７】
2016532395.tif 000009
【図８】
2016532395.tif 000010
【図９】
2016532395.tif 000011
【図１０】
2016532395.tif 000012
【手続補正書】
【提出日】平成28年5月9日(2016.5.9)
【手続補正１】
【補正対象書類名】特許請求の範囲
【補正対象項目名】全文
【補正方法】変更
【補正の内容】
【特許請求の範囲】
【請求項１】
無線リンク障害中に呼を管理するための方法であって、
呼設定プロシージャ中またはその後に無線アクセス技術に関する無線リンク障害を検出することと、
パブリックランドモバイルネットワークおよび等価パブリックランドモバイルネットワークを選択することと、
前記選択されたパブリックランドモバイルネットワークおよび前記等価パブリックランドモバイルネットワーク上で前記無線アクセス技術のセルについての初期探索を実行することと、
を備える方法。
【請求項２】
前記初期探索に少なくとも部分的に基づいて前記無線アクセス技術のセルを特定することと、
前記特定されたセル上に無線リソース制御接続を再確立することと、
をさらに備える請求項１に記載の方法。
【請求項３】
前記無線リンク障害が前記呼設定プロシージャ中に検出された場合に、前記再確立された無線リソース制御接続を使用して前記呼設定プロシージャを続けることをさらに備える請求項２に記載の方法。
【請求項４】
前記呼設定プロシージャが完了した後に前記無線リンク障害が検出された場合に、前記再確立された無線リソース制御接続を使用して進行中の呼を維持することをさらに備える請求項２に記載の方法。
【請求項５】
設定可能パラメータに少なくとも部分的に基づいて、前記選択されたパブリックランドモバイルネットワークおよび前記等価パブリックランドモバイルネットワーク上で前記無線アクセス技術のセルについての前記初期探索を１回または２回実行することをさらに備える請求項１に記載の方法。
【請求項６】
前記選択されたパブリックランドモバイルネットワークは、前記無線リンク障害が発生した前記パブリックランドモバイルネットワークであり、前記選択された等価パブリックランドモバイルネットワークは、少なくとも１つのセルへの登録が既になされている前記等価パブリックランドモバイルネットワークである、請求項１に記載の方法。
【請求項７】
前記無線アクセス技術のセルが特定されなかった場合に、各利用可能なパブリックランドモバイルネットワーク上で他の無線アクセス技術のセルについての後続の探索を実行することをさらに備える請求項１に記載の方法。
【請求項８】
前記無線アクセス技術がロングタームエボリューション（ＬＴＥ）無線アクセス技術であり、前記他の無線アクセス技術が非ＬＴＥ無線アクセス技術である、請求項７に記載の方法。
【請求項９】
前記他の無線アクセス技術のセルについての前記後続の探索中に前記無線アクセス技術を用いて無線リソース制御接続を維持することをさらに備える請求項７に記載の方法。
【請求項１０】
前記他の無線アクセス技術のセルが特定された場合に、前記無線アクセス技術に関する呼設定プロシージャを終了することと、
前記呼設定プロシージャが終了されたという通知を生成することと、
をさらに備える請求項７に記載の方法。
【請求項１１】
前記他の無線アクセス技術のセルが特定された場合に、前記無線アクセス技術に関する進行中の呼をドロップすることと、
前記進行中の呼がドロップされたという通知を生成することと、
をさらに備える請求項７に記載の方法。
【請求項１２】
他の無線アクセス技術のセルが特定されておらず、且つ、タイマーが満了していない場合に、各利用可能なパブリックランドモバイルネットワーク上で前記無線アクセス技術のセルについての後続の探索を実行することをさらに備える請求項１に記載の方法。
【請求項１３】
無線アクセス技術のセルが、選択されなかったパブリックランドモバイルネットワーク上で特定された場合に、トラッキングエリア更新プロシージャを実行することをさらに備える請求項１２に記載の方法。
【請求項１４】
前記無線リンク障害が検出されたときに、タイマーを開始することと、
前記タイマーが満了したときに、無線リソース制御接続（ＲＲＣ＿ＣＯＮＮＥＣＴＥＤ）状態から遷移することと、
をさらに備える請求項１に記載の方法。
【請求項１５】
前記タイマーが満了したときに、前記無線アクセス技術に関する呼設定プロシージャを終了することと、
前記呼設定プロシージャが終了されたという通知を生成することと、
をさらに備える請求項１４に記載の方法。
【請求項１６】
前記タイマーが満了したときに、前記無線アクセス技術に関する進行中の呼をドロップすることと、
前記進行中の呼がドロップされたという通知を生成することと、
をさらに備える請求項１４に記載の方法。
【請求項１７】
前記無線アクセス技術がロングタームエボリューション（ＬＴＥ）無線アクセス技術である、請求項１に記載の方法。
【請求項１８】
無線リンク障害中に呼を管理するための装置であって、
呼設定プロシージャ中またはその後に無線アクセス技術に関する無線リンク障害を検出する手段と、
パブリックランドモバイルネットワークおよび等価パブリックランドモバイルネットワークを選択する手段と、
前記選択されたパブリックランドモバイルネットワークおよび前記等価パブリックランドモバイルネットワーク上で前記無線アクセス技術のセルについての初期探索を実行する手段と、
を備える装置。
【請求項１９】
前記初期探索に少なくとも部分的に基づいて前記無線アクセス技術のセルを特定する手段と、
前記特定されたセル上に無線リソース制御接続を再確立する手段と、
をさらに備える請求項１８に記載の装置。
【請求項２０】
無線リンク障害中に呼を管理するための装置であって、
プロセッサと、
前記プロセッサと電子通信するメモリと、
前記メモリに記憶された命令と、
を備え、
前記命令は、
呼設定プロシージャ中またはその後に無線アクセス技術に関する無線リンク障害を検出することと、
パブリックランドモバイルネットワークおよび等価パブリックランドモバイルネットワークを選択することと、
前記選択されたパブリックランドモバイルネットワークおよび前記等価パブリックランドモバイルネットワーク上で前記無線アクセス技術のセルについての初期探索を実行することと、
を行うために前記プロセッサによって実行可能である、装置。
【請求項２１】
前記命令は、
前記初期探索に少なくとも部分的に基づいて前記無線アクセス技術のセルを特定することと、
前記特定されたセル上に無線リソース制御接続を再確立することと、
を行うために前記プロセッサによって実行可能である、請求項２０に記載の装置。
【請求項２２】
前記命令は、
前記無線リンク障害が前記呼設定プロシージャ中に検出された場合に、前記再確立された無線リソース制御接続を使用して前記呼設定プロシージャを続ける
ために前記プロセッサによって実行可能である、請求項２１に記載の装置。
【請求項２３】
前記命令は、
前記呼設定プロシージャが完了した後に前記無線リンク障害が検出された場合に、前記再確立された無線リソース制御接続を使用して進行中の呼を維持する
ために前記プロセッサによって実行可能である、請求項２１に記載の装置。
【請求項２４】
前記命令は、
設定可能パラメータに少なくとも部分的に基づいて、前記選択されたパブリックランドモバイルネットワークおよび前記等価パブリックランドモバイルネットワーク上で前記無線アクセス技術のセルについての前記初期探索を１回または２回実行する
ために前記プロセッサによって実行可能である、請求項２０に記載の装置。
【請求項２５】
前記選択されたパブリックランドモバイルネットワークは、前記無線リンク障害が発生した前記パブリックランドモバイルネットワークであり、前記選択された等価パブリックランドモバイルネットワークは、少なくとも１つのセルへの登録が既になされている前記等価パブリックランドモバイルネットワークである、請求項２０に記載の装置。
【請求項２６】
前記命令は、
前記無線アクセス技術のセルが特定されなかった場合に、各利用可能なパブリックランドモバイルネットワーク上で他の無線アクセス技術のセルについての後続の探索を実行する
ために前記プロセッサによって実行可能である、請求項２０に記載の装置。
【請求項２７】
前記命令は、
他の無線アクセス技術のセルが特定されておらず、且つ、タイマーが満了していない場合に、各利用可能なパブリックランドモバイルネットワーク上で前記無線アクセス技術のセルについての後続の探索を実行する
ために前記プロセッサによって実行可能である、請求項２０に記載の装置。
【請求項２８】
前記命令は、
前記無線リンク障害が検出されたときに、タイマーを開始することと、
前記タイマーが満了したときに、無線リソース制御接続（ＲＲＣ＿ＣＯＮＮＥＣＴＥＤ）状態から遷移することと、
を行うために前記プロセッサによって実行可能である、請求項２０に記載の装置。
【請求項２９】
前記無線アクセス技術がロングタームエボリューション（ＬＴＥ）無線アクセス技術である、請求項２０に記載の装置。
【請求項３０】
無線リンク障害中に呼を管理するためのコンピュータプログラム製品であって、
呼設定プロシージャ中またはその後に無線アクセス技術に関する無線リンク障害を検出することと、
パブリックランドモバイルネットワークおよび等価パブリックランドモバイルネットワークを選択することと、
前記選択されたパブリックランドモバイルネットワークおよび前記等価パブリックランドモバイルネットワーク上で前記無線アクセス技術のセルについての初期探索を実行することと、
を行うために、プロセッサによって実行可能な命令を記憶する非一時的コンピュータ可読媒体を備えるコンピュータプログラム製品。
【手続補正２】
【補正対象書類名】明細書
【補正対象項目名】０１２４
【補正方法】変更
【補正の内容】
【０１２４】
[0131]本開示についての以上の説明は、当業者が本開示を作成または使用することができるように与えたものである。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及した例についての選好を暗示せず、または必要としない。したがって、本開示は、本明細書で説明した例および設計に限定されるべきでなく、本明細書で開示する原理および新規の特徴に合致する最も広い範囲を与えられるべきである。
以下に、本願出願の当初の特許請求の範囲に記載された発明を付記する。
［Ｃ１］無線リンク障害中に呼を管理するための方法であって、
呼設定プロシージャ中またはその後に無線アクセス技術に関する無線リンク障害を検出することと、
パブリックランドモバイルネットワークおよび等価パブリックランドモバイルネットワークを選択することと、
前記選択されたパブリックランドモバイルネットワークおよび前記等価パブリックランドモバイルネットワーク上で前記無線アクセス技術のセルについての初期探索を実行することと、
を備える方法。
［Ｃ２］前記初期探索に少なくとも部分的に基づいて前記無線アクセス技術のセルを特定することと、
前記特定されたセル上に無線リソース制御接続を再確立することと、
をさらに備える［Ｃ１］の方法。
［Ｃ３］前記無線リンク障害が前記呼設定プロシージャ中に検出された場合に、前記再確立された無線リソース制御接続を使用して前記呼設定プロシージャを続けることをさらに備える［Ｃ２］の方法。
［Ｃ４］前記呼設定プロシージャが完了した後に前記無線リンク障害が検出された場合に、前記再確立された無線リソース制御接続を使用して進行中の呼を維持することをさらに備える［Ｃ２］の方法。
［Ｃ５］設定可能パラメータに少なくとも部分的に基づいて、前記選択されたパブリックランドモバイルネットワークおよび前記等価パブリックランドモバイルネットワーク上で前記無線アクセス技術のセルについての前記初期探索を１回または２回実行することをさらに備える［Ｃ１］の方法。
［Ｃ６］前記選択されたパブリックランドモバイルネットワークは、前記無線リンク障害が発生した前記パブリックランドモバイルネットワークである、［Ｃ１］の方法。
［Ｃ７］前記無線アクセス技術のセルが特定されなかった場合に、各利用可能なパブリックランドモバイルネットワーク上で他の無線アクセス技術のセルについての後続の探索を実行することをさらに備える［Ｃ１］の方法。
［Ｃ８］前記無線アクセス技術がロングタームエボリューション（ＬＴＥ）無線アクセス技術であり、前記他の無線アクセス技術が非ＬＴＥ無線アクセス技術である、［Ｃ７］の方法。
［Ｃ９］前記他の無線アクセス技術のセルについての前記後続の探索中に前記無線アクセス技術を用いて無線リソース制御接続を維持することをさらに備える［Ｃ７］の方法。
［Ｃ１０］前記他の無線アクセス技術のセルが特定された場合に、前記無線アクセス技術に関する呼設定プロシージャを終了することと、
前記呼設定プロシージャが終了されたという通知を生成することと、
をさらに備える［Ｃ７］の方法。
［Ｃ１１］前記他の無線アクセス技術のセルが特定された場合に、前記無線アクセス技術に関する進行中の呼をドロップすることと、
前記進行中の呼がドロップされたという通知を生成することと、
をさらに備える［Ｃ７］の方法。
［Ｃ１２］前記他の無線アクセス技術のセルが特定されておらず、且つ、タイマーが満了していない場合に、各利用可能なパブリックランドモバイルネットワーク上で前記無線アクセス技術のセルについての後続の探索を実行することをさらに備える［Ｃ１］の方法。
［Ｃ１３］無線アクセス技術のセルが、選択されなかったパブリックランドモバイルネットワーク上で特定された場合に、トラッキングエリア更新プロシージャを実行することをさらに備える［Ｃ１２］の方法。
［Ｃ１４］前記無線リンク障害が検出されたときに、タイマーを開始することと、
前記タイマーが満了したときに、無線リソース制御接続（ＲＲＣ＿ＣＯＮＮＥＣＴＥＤ）状態から遷移することと、
をさらに備える［Ｃ１］の方法。
［Ｃ１５］前記タイマーが満了したときに、前記無線アクセス技術に関する呼設定プロシージャを終了することと、
前記呼設定プロシージャが終了されたという通知を生成することと、
をさらに備える［Ｃ１４］の方法。
［Ｃ１６］前記タイマーが満了したときに、前記無線アクセス技術に関する進行中の呼をドロップすることと、
前記進行中の呼がドロップされたという通知を生成することと、
をさらに備える［Ｃ１４］の方法。
［Ｃ１７］前記無線アクセス技術がロングタームエボリューション（ＬＴＥ）無線アクセス技術である、［Ｃ１］の方法。
［Ｃ１８］無線リンク障害中に呼を管理するための装置であって、
呼設定プロシージャ中またはその後に無線アクセス技術に関する無線リンク障害を検出する手段と、
パブリックランドモバイルネットワークおよび等価パブリックランドモバイルネットワークを選択する手段と、
前記選択されたパブリックランドモバイルネットワークおよび前記等価パブリックランドモバイルネットワーク上で前記無線アクセス技術のセルについての初期探索を実行する手段と、
を備える装置。
［Ｃ１９］前記初期探索に少なくとも部分的に基づいて前記無線アクセス技術のセルを特定する手段と、
前記特定されたセル上に無線リソース制御接続を再確立する手段と、
をさらに備える［Ｃ１８］の装置。
［Ｃ２０］無線リンク障害中に呼を管理するための装置であって、
プロセッサと、
前記プロセッサと電子通信するメモリと、
前記メモリに記憶された命令と、
を備え、
前記命令は、
呼設定プロシージャ中またはその後に無線アクセス技術に関する無線リンク障害を検出することと、
パブリックランドモバイルネットワークおよび等価パブリックランドモバイルネットワークを選択することと、
前記選択されたパブリックランドモバイルネットワークおよび前記等価パブリックランドモバイルネットワーク上で前記無線アクセス技術のセルについての初期探索を実行することと、
を行うために前記プロセッサによって実行可能である、装置。
［Ｃ２１］前記命令は、
前記初期探索に少なくとも部分的に基づいて前記無線アクセス技術のセルを特定することと、
前記特定されたセル上に無線リソース制御接続を再確立することと、
を行うために前記プロセッサによって実行可能である、［Ｃ２０］の装置。
［Ｃ２２］前記命令は、
前記無線リンク障害が前記呼設定プロシージャ中に検出された場合に、前記再確立された無線リソース制御接続を使用して前記呼設定プロシージャを続ける
ために前記プロセッサによって実行可能である、［Ｃ２１］の装置。
［Ｃ２３］前記命令は、
前記呼設定プロシージャが完了した後に前記無線リンク障害が検出された場合に、前記再確立された無線リソース制御接続を使用して進行中の呼を維持する
ために前記プロセッサによって実行可能である、［Ｃ２１］の装置。
［Ｃ２４］前記命令は、
設定可能パラメータに少なくとも部分的に基づいて、前記選択されたパブリックランドモバイルネットワークおよび前記等価パブリックランドモバイルネットワーク上で前記無線アクセス技術のセルについての前記初期探索を１回または２回実行する
ために前記プロセッサによって実行可能である、［Ｃ２０］の装置。
［Ｃ２５］前記選択されたパブリックランドモバイルネットワークは、前記無線リンク障害が発生した前記パブリックランドモバイルネットワークである、［Ｃ２０］の装置。
［Ｃ２６］前記命令は、
前記無線アクセス技術のセルが特定されなかった場合に、各利用可能なパブリックランドモバイルネットワーク上で他の無線アクセス技術のセルについての後続の探索を実行する
ために前記プロセッサによって実行可能である、［Ｃ２０］の装置。
［Ｃ２７］前記命令は、
前記他の無線アクセス技術のセルが特定されておらず、且つ、タイマーが満了していない場合に、各利用可能なパブリックランドモバイルネットワーク上で前記無線アクセス技術のセルについての後続の探索を実行する
ために前記プロセッサによって実行可能である、［Ｃ２０］の装置。
［Ｃ２８］前記命令は、
前記無線リンク障害が検出されたときに、タイマーを開始することと、
前記タイマーが満了したときに、無線リソース制御接続（ＲＲＣ＿ＣＯＮＮＥＣＴＥＤ）状態から遷移することと、
を行うために前記プロセッサによって実行可能である、［Ｃ２０］の装置。
［Ｃ２９］前記無線アクセス技術がロングタームエボリューション（ＬＴＥ）無線アクセス技術である、［Ｃ２０］の装置。
［Ｃ３０］無線リンク障害中に呼を管理するためのコンピュータプログラム製品であって、
呼設定プロシージャ中またはその後に無線アクセス技術に関する無線リンク障害を検出することと、
パブリックランドモバイルネットワークおよび等価パブリックランドモバイルネットワークを選択することと、
前記選択されたパブリックランドモバイルネットワークおよび前記等価パブリックランドモバイルネットワーク上で前記無線アクセス技術のセルについての初期探索を実行することと、
を行うために、プロセッサによって実行可能な命令を記憶する非一時的コンピュータ可読媒体を備えるコンピュータプログラム製品。
【手続補正書】
【提出日】平成28年5月10日(2016.5.10)
【手続補正１】
【補正対象書類名】特許請求の範囲
【補正対象項目名】全文
【補正方法】変更
【補正の内容】
【特許請求の範囲】
【請求項１】
無線リンク障害中に呼を管理するための方法であって、
呼設定プロシージャ中またはその後に無線アクセス技術に関する無線リンク障害を検出することと、
パブリックランドモバイルネットワークおよび等価パブリックランドモバイルネットワークを選択することと、
設定可能パラメータに少なくとも部分的に基づいて、前記選択されたパブリックランドモバイルネットワークおよび前記等価パブリックランドモバイルネットワーク上で前記無線アクセス技術のセルについての初期探索を１回または２回実行することと、
を備える方法。
【請求項２】
前記初期探索に少なくとも部分的に基づいて前記無線アクセス技術のセルを特定することと、
前記特定されたセル上に無線リソース制御接続を再確立することと、
をさらに備える請求項１に記載の方法。
【請求項３】
前記無線リンク障害が前記呼設定プロシージャ中に検出された場合に、前記再確立された無線リソース制御接続を使用して前記呼設定プロシージャを続けることをさらに備える請求項２に記載の方法。
【請求項４】
前記呼設定プロシージャが完了した後に前記無線リンク障害が検出された場合に、前記再確立された無線リソース制御接続を使用して進行中の呼を維持することをさらに備える請求項２に記載の方法。
【請求項５】
前記選択されたパブリックランドモバイルネットワークは、前記無線リンク障害が発生した前記パブリックランドモバイルネットワークであり、前記選択された等価パブリックランドモバイルネットワークは、前記等価パブリックランドモバイルネットワークを選択するデバイスが登録されている等価パブリックランドモバイルネットワークである、請求項１に記載の方法。
【請求項６】
前記無線アクセス技術のセルが特定されなかった場合に、各利用可能なパブリックランドモバイルネットワーク上で他の無線アクセス技術のセルについての後続の探索を実行することをさらに備える請求項１に記載の方法。
【請求項７】
前記無線アクセス技術がロングタームエボリューション（ＬＴＥ）無線アクセス技術であり、前記他の無線アクセス技術が非ＬＴＥ無線アクセス技術である、請求項６に記載の方法。
【請求項８】
前記他の無線アクセス技術のセルについての前記後続の探索中に前記無線アクセス技術を用いて無線リソース制御接続を維持することをさらに備える請求項６に記載の方法。
【請求項９】
前記他の無線アクセス技術のセルが特定された場合に、前記無線アクセス技術に関する呼設定プロシージャを終了することと、
前記呼設定プロシージャが終了されたという通知を生成することと、
をさらに備える請求項６に記載の方法。
【請求項１０】
前記他の無線アクセス技術のセルが特定された場合に、前記無線アクセス技術に関する進行中の呼をドロップすることと、
前記進行中の呼がドロップされたという通知を生成することと、
をさらに備える請求項６に記載の方法。
【請求項１１】
他の無線アクセス技術のセルが特定されておらず、且つ、タイマーが満了していない場合に、各利用可能なパブリックランドモバイルネットワーク上で前記無線アクセス技術のセルについての後続の探索を実行することをさらに備える請求項１に記載の方法。
【請求項１２】
無線アクセス技術のセルが、選択されなかったパブリックランドモバイルネットワーク上で特定された場合に、トラッキングエリア更新プロシージャを実行することをさらに備える請求項１１に記載の方法。
【請求項１３】
前記無線リンク障害が検出されたときに、タイマーを開始することと、
前記タイマーが満了したときに、無線リソース制御接続（ＲＲＣ＿ＣＯＮＮＥＣＴＥＤ）状態から遷移することと、
をさらに備える請求項１に記載の方法。
【請求項１４】
前記タイマーが満了したときに、前記無線アクセス技術に関する呼設定プロシージャを終了することと、
前記呼設定プロシージャが終了されたという通知を生成することと、
をさらに備える請求項１３に記載の方法。
【請求項１５】
前記タイマーが満了したときに、前記無線アクセス技術に関する進行中の呼をドロップすることと、
前記進行中の呼がドロップされたという通知を生成することと、
をさらに備える請求項１３に記載の方法。
【請求項１６】
前記無線アクセス技術がロングタームエボリューション（ＬＴＥ）無線アクセス技術である、請求項１に記載の方法。
【請求項１７】
無線リンク障害中に呼を管理するための装置であって、
呼設定プロシージャ中またはその後に無線アクセス技術に関する無線リンク障害を検出する手段と、
パブリックランドモバイルネットワークおよび等価パブリックランドモバイルネットワークを選択する手段と、
設定可能パラメータに少なくとも部分的に基づいて、前記選択されたパブリックランドモバイルネットワークおよび前記等価パブリックランドモバイルネットワーク上で前記無線アクセス技術のセルについての初期探索を１回または２回実行する手段と、
を備える装置。
【請求項１８】
前記初期探索に少なくとも部分的に基づいて前記無線アクセス技術のセルを特定する手段と、
前記特定されたセル上に無線リソース制御接続を再確立する手段と、
をさらに備える請求項１７に記載の装置。
【請求項１９】
無線リンク障害中に呼を管理するための装置であって、
プロセッサと、
前記プロセッサと電子通信するメモリと、
前記メモリに記憶された命令と、
を備え、
前記命令は、
呼設定プロシージャ中またはその後に無線アクセス技術に関する無線リンク障害を検出することと、
パブリックランドモバイルネットワークおよび等価パブリックランドモバイルネットワークを選択することと、
設定可能パラメータに少なくとも部分的に基づいて、前記選択されたパブリックランドモバイルネットワークおよび前記等価パブリックランドモバイルネットワーク上で前記無線アクセス技術のセルについての初期探索を１回または２回実行することと、
を行うために前記プロセッサによって実行可能である、装置。
【請求項２０】
前記命令は、
前記初期探索に少なくとも部分的に基づいて前記無線アクセス技術のセルを特定することと、
前記特定されたセル上に無線リソース制御接続を再確立することと、
を行うために前記プロセッサによって実行可能である、請求項１９に記載の装置。
【請求項２１】
前記命令は、
前記無線リンク障害が前記呼設定プロシージャ中に検出された場合に、前記再確立された無線リソース制御接続を使用して前記呼設定プロシージャを続ける
ために前記プロセッサによって実行可能である、請求項２０に記載の装置。
【請求項２２】
前記命令は、
前記呼設定プロシージャが完了した後に前記無線リンク障害が検出された場合に、前記再確立された無線リソース制御接続を使用して進行中の呼を維持する
ために前記プロセッサによって実行可能である、請求項２０に記載の装置。
【請求項２３】
前記選択されたパブリックランドモバイルネットワークは、前記無線リンク障害が発生した前記パブリックランドモバイルネットワークであり、前記選択された等価パブリックランドモバイルネットワークは、前記等価パブリックランドモバイルネットワークを選択するデバイスが登録されている前記等価パブリックランドモバイルネットワークである、請求項１９に記載の装置。
【請求項２４】
前記命令は、
前記無線アクセス技術のセルが特定されなかった場合に、各利用可能なパブリックランドモバイルネットワーク上で他の無線アクセス技術のセルについての後続の探索を実行する
ために前記プロセッサによって実行可能である、請求項１９に記載の装置。
【請求項２５】
前記命令は、
他の無線アクセス技術のセルが特定されておらず、且つ、タイマーが満了していない場合に、各利用可能なパブリックランドモバイルネットワーク上で前記無線アクセス技術のセルについての後続の探索を実行する
ために前記プロセッサによって実行可能である、請求項１９に記載の装置。
【請求項２６】
前記命令は、
前記無線リンク障害が検出されたときに、タイマーを開始することと、
前記タイマーが満了したときに、無線リソース制御接続（ＲＲＣ＿ＣＯＮＮＥＣＴＥＤ）状態から遷移することと、
を行うために前記プロセッサによって実行可能である、請求項１９に記載の装置。
【請求項２７】
前記無線アクセス技術がロングタームエボリューション（ＬＴＥ）無線アクセス技術である、請求項１９に記載の装置。
【請求項２８】
呼設定プロシージャ中またはその後に無線アクセス技術に関する無線リンク障害を検出することと、
パブリックランドモバイルネットワークおよび等価パブリックランドモバイルネットワークを選択することと、
前記選択されたパブリックランドモバイルネットワークおよび前記等価パブリックランドモバイルネットワーク上で前記無線アクセス技術のセルについての初期探索を実行することと、
を行うために、プロセッサによって実行可能な命令を記憶する非一時的コンピュータ可読媒体。
【国際調査報告】
2016532395.tif 000013
2016532395.tif 000014
2016532395.tif 000015